(57)【要約】【課題】ＲＧＢの発光体からの光により白色表示可能な表示装置において、ホワイトバランスを含む色バランスを調整すること。【解決手段】ＲＧＢのＬＥＤ１の発光光を各々光変調素子４に照射して白色表示可能にした表示装置において、受光素子１４によって上記発光光を検出し、色バランス調整制御手段１１は、この受光素子１４からの受光データを入力してその受光データに係るＬＥＤ１の発光色を識別し、その結果に基づいてスクリーン１００表示面での色バランスを調整制御する。【選択図】    図１
2004184852.tif 000002
【特許請求の範囲】
【請求項１】
発光体からの光を光変調素子に照明して表示面で画像表示可能な表示装置において、
発光色の異なる複数の発光体と、
前記発光体からの光を検出し受光量を出力する受光素子を備えた光検出手段と、
前記光検出手段からの受光量に従って、表示面における色バランスを調整し制御する色バランス調整制御手段と、
を具備し、
前記色バランス調整制御手段は、前記受光量に係る前記発光体の発光色を識別可能にした、
ことを特徴とする表示装置。
【請求項２】
前記発光体は、前記発光色が赤色、緑色及び青色の３つの半導体素子からなることを特徴とする請求項１に記載の表示装置。
【請求項３】
前記発光体は、発光ダイオード・チップからなることを特徴とする請求項１に記載の表示装置。
【請求項４】
前記色バランス調整制御手段は、
前記発光体の点灯タイミングを制御する点灯制御手段を備え、
前記点灯制御手段の制御信号に従って、前記受光量に係る前記発光体の発光色を識別可能にした、
ことを特徴とする請求項１に記載の表示装置。
【請求項５】
前記光検出手段は、前記発光体の発光色毎に異なった受光素子を備え、
前記色バランス調整制御手段は、前記受光素子を特定する受光素子識別情報に従って、前記受光量に係る前記発光体の発光色を識別可能にした、
ことを特徴とする請求項１に記載の表示装置。
【請求項６】
前記色バランス調整制御手段は、前記発光体を発光する発光量もしくは該発光の制御情報と、該発光する際の該受光量と、を含んだ較正情報によって前記色バランスを調整し制御することを特徴とする請求項１に記載の表示装置。
【請求項７】
前記色バランス調整制御手段は、表示面における色バランスを調整し制御するにあたり、前記発光体の発光量を調整するように点灯制御を行なう発光量調整制御手段を含むことを特徴とする請求項１に記載の表示装置。
【請求項８】
前記色バランス調整制御手段は、表示面における色バランスを調整し制御するにあたり、前記光変調素子に供給する表示データを調整する表示データ補正制御手段を含むことを特徴とする請求項１に記載の表示装置。
【請求項９】
前記発光量調整制御手段は、表示面における色バランスを調整し制御する際、前記異なる発光色の各々の発光量が、前記色バランスを保つに必要な該発光色間の発光量比を満たすように、前記異なる発光色の少なくとも何れか１つの発光色に係わる発光体への供給電流を、前記調整前と比較して減らすことを特徴とする請求項７に記載の表示装置。
【請求項１０】
前記発光量調整制御手段は、表示面における色バランスを調整し制御する際、前記異なる発光色の各々の発光量が、前記色バランスを保つに必要な該発光色間の発光量比を満たすように、前記異なる発光色の少なくとも何れか１つの発光色に係わる発光体への供給電流を、前記調整前と比較して増やすことを特徴とする請求項７に記載の表示装置。
【請求項１１】
前記発光量調整制御手段は、表示面における色バランスを調整し制御する際、
前記異なる発光色の少なくとも何れか１つの発光色に係わる発光体への供給電流を、前記調整前と比較して減らす寿命優先モードと、
前記異なる発光色の少なくとも何れか１つの発光色に係わる発光体への供給電流を、前記調整前と比較して増やす明るさ優先モードと、
を切り替え可能にした、
ことを特徴とする請求項９又は１０に記載の表示装置。
【請求項１２】
前記光検出手段は、前記発光体からの光が表示面に照明する光束と異なった前記発光体が発光する光である不要光を検出することを特徴とする請求項１に記載の表示装置。
【請求項１３】
前記光検出手段は、前記発光体近傍の光を検出するように配設されていることを特徴とする請求項１２に記載の表示装置。
【請求項１４】
前記光検出手段は、前記光変調素子周辺の光を検出するように配設されていることを特徴とする請求項１２に記載の表示装置。
【請求項１５】
前記光変調素子が、入力するイメージデータに従って各画素毎に、表示面に前記イメージデータに相応しい映像を表示可能な第１の方向と、該第１の方向とは異なった第２の方向と、の２つの異なる方向に、入射する光を偏光することによって光変調する複数の微小鏡面素子を有する鏡面偏向型光変調器であって、
前記光検出手段は、前記鏡面偏向型光変調器の前記第２の方向の光を検出可能な位置に配設されている、
ことを特徴とする請求項１２に記載の表示装置。
【請求項１６】
前記光検出手段は、前記発光体からの光が表示面を照明する光路内の光を折り曲げて検出することを特徴とする請求項１に記載の表示装置。
【請求項１７】
前記光検出手段は、表示面の表示領域の光を集光可能な光学手段を備えたことを特徴とする請求項１６に記載の表示装置。
【請求項１８】
前記受光素子は、複数の受光素子をマトリックスに配置した撮像素子であることを特徴とする請求項１７に記載の表示装置。
【請求項１９】
前記光検出手段は、前記光路内の光を折り曲げた光を該光路外に配設した前記受光素子に導く導光手段を備えることを特徴とする請求項１６に記載の表示装置。
【請求項２０】
前記色バランス調整制御手段は、前記光変調素子の制御に同期して補正制御を行なうことを特徴とする請求項１に記載の照明装置。
【請求項２１】
前記色バランス調整制御手段は、前記光変調素子の切り替り制御に同期して前記受光量を検出することを特徴とする請求項１に記載の照明装置。
【請求項２２】
前記色バランス調整制御手段は、前記受光量を積分する積分手段を備えることを特徴とする請求項２１に記載の表示装置。
【請求項２３】
前記光検出手段は、前記受光量を検出すると共に、前記発光体の波長情報を検出する波長検出機能を備えたことを特徴とする請求項１に記載の照明装置。
【請求項２４】
映像信号に従って表示面に画像を表示する状態である表示モードと、
前記光検出手段が前記受光量を検出する際に、前記光変調素子に入力するイメージデータが、前記色バランス調整制御手段が色バランスを調整するに相応しい所定の較正画像である状態の調整モードと、
を切り替え可能にするモード切替手段を更に具備する、
ことを特徴とする請求項１に記載の表示装置。
【請求項２５】
前記モード切替手段は、ユーザの操作に従って前記モードを切り替えることを特徴とする請求項２４に記載の表示装置。
【請求項２６】
前記モード切替手段は、所定の較正開始信号に応じて自動的に前記モードを切り替えることを特徴とする請求項２４に記載の表示装置。
【請求項２７】
前記モード切替手段は、前記所定の較正開始信号を発生するタイマカウンタを備えることを特徴とする請求項２６に記載の表示装置。
【請求項２８】
前記モード切替手段は、前記所定の較正開始信号を発生する温度センサを備えることを特徴とする請求項２６に記載の表示装置。
【請求項２９】
映像信号に従ったイメージデータを前記光変調素子に入力すると共に、前記光検出手段が前記受光量を検出し、前記色バランス調整制御手段が色バランスを調整することを特徴とする請求項１に記載の表示装置。
【請求項３０】
前記光検出手段は、前記光変調素子によって光変調された光を検出することを特徴とする請求項２９に記載の表示装置。
【請求項３１】
前記光検出手段は、前記光変調素子によって光変調された光を撮像素子によって検出し、
前記色バランス調整制御手段は、前記色バランスを調整するに相応しい所定の較正画素を前記撮像素子の撮像画像より検出するようにした、
ことを特徴とする請求項１に記載の表示装置。
【請求項３２】
前記色バランス調整制御手段は、色バランスを調整する際に、所定の条件を満たさない状態であることを検出するものであって、該検出に伴ってユーザに認知可能に報知する報知手段を備えることを特徴とする請求項１に記載の表示装置。
【請求項３３】
前記色バランス調整制御手段は、前記表示面における色バランスの調整が所望の色バランスに設定可能にする色バランス目標値設定手段を備えることを特徴とする請求項１に記載の表示装置。
【請求項３４】
前記較正情報を記録した記録媒体と、
前記較正情報を取得する際の前記発光体のそれぞれを一体的に保持する保持手段と、
を更に具備する、
ことを特徴とする請求項６に記載の表示装置。
【請求項３５】
前記記録媒体が半導体メモリであることを特徴とする請求項３４に記載の表示装置。
【請求項３６】
前記発光体の出射光を前記光変調素子に導き照射する光学手段を更に具備し、
前記色バランス調整制御手段は、
前記発光体それぞれを点灯駆動する点灯手段と、
前記発光体と前記光学手段とを相対的に移動させる移動手段と、
前記光変調素子を照明する光を前記複数の発光体の出射光から選択するように前記移動手段、及び／又は、前記点灯手段を制御する光選択制御手段と、
を備える、
ことを特徴とする請求項１に記載の表示装置。
【請求項３７】
前記色バランス調整制御手段は、前記光選択制御手段の選択に係わる制御信号に従って、前記受光量に係る前記発光体の発光色を識別可能にしたことを特徴とする請求項３６に記載の表示装置。
【請求項３８】
請求項１に記載の表示装置に用いる光源装置であって、
前記複数の発光体と、前記複数の発光体に関する較正データを記憶する記憶媒体と、を前記表示装置に対して脱着可能に一体的に保持することを特徴とする光源装置。
【請求項３９】
前記記憶媒体が半導体メモリであることを特徴とする請求項３８に記載の光源装置。
【請求項４０】
発光体からの光を被照射領域に照明する照明装置において、
発光色の異なる複数の発光体と、
前記発光体からの光を検出し受光量を出力する受光素子を備えた光検出手段と、
前記光検出手段からの受光量に従って、被照射領域における色バランスを調整し制御する色バランス調整制御手段と、
を具備し、
前記色バランス調整制御手段は、前記受光量に係る前記発光体の発光色を識別可能にした、
ことを特徴とする照明装置。
【発明の詳細な説明】
【０００１】
【発明の属する技術分野】
本発明は、ＬＥＤ等の発光体からの光を光変調素子に照明して表示面で画像表示可能な表示装置、及びそのような表示装置に用いる光源装置、並びに、発光体からの光を被照射領域に照明する照明装置に関する。
【０００２】
【従来の技術】
次世代小型発光源として発光ダイオード（以下、ＬＥＤと略記する。）が昨今著しい注目を浴びている。これまでＬＥＤと言えば、小型、高耐性、長寿命などの長所はあるものの、その発光効率及び発光出力の制約から各種計器類用インジケータ照明や制御状態の確認ランプとしての用途が主であった。しかしながら近年、発光効率が急速に改善されつつあり、従来最も高効率とされている放電タイプの高圧水銀ランプや蛍光燈ランプの発光効率を超えるのは時間の問題であると言われている。この高効率高輝度ＬＥＤの出現により、ＬＥＤによる高出力発光源が急速に実用性を帯びてきている。また最近になり、従来の赤色、緑色に加えて青色ＬＥＤが実用段階を向かえたこともその応用を加速させている。事実、この高効率高輝度ＬＥＤを複数用いることにより、これまでは明るさ或いは効率の点で不可能であった交通信号灯、屋外用大型フルカラーディスプレイ、自動車の各種ランプ、携帯電話の液晶表示のバックライトへの実用化が始まっている。
【０００３】
集光性能が求められる照明装置の有望な小型発光源として、この高効率高輝度ＬＥＤの適用が考えられている。ＬＥＤは元来、寿命、耐久性、点灯速度、点灯駆動回路の簡易性の点で他の発光源と比べ優れた特徴を有している。さらに、とりわけ青色が加わり自発光の発光源として３原色が揃ったことは、フルカラー画像表示装置としての応用範囲が拡大された。集光性能が求められる照明装置の典型例として例えば、画像データから表示画像を形成して映し出すプロジェクタ表示装置では、これまで白色系の発光源からカラーフィルタ等により所望する原色を分離し、各色毎に対応する画像データに対し空間光変調を施し、それらを空間的または時間的に合成することによりカラー画像表示を可能にしてきた。白色系の発光源を用いる場合、所望する唯一の色を分離して利用するため、分離した色以外はフィルターによって無駄に捨てることになる場合も多い。その点、ＬＥＤは所望する色自体を発光するので必要なときに必要な量の発光が可能となり、従来の白色系発光源の場合に比して光を無駄にすることなく、効率良く発光源の光を利用することができる。
【０００４】
このようなＬＥＤの優れた適用条件に着目し、ＬＥＤをプロジェクタ表示装置用の照明装置にも適用することが考えられている（例えば、特許文献１参照）。この場合、ＬＥＤを複数並べてマイクロレンズアレイによって各々からの光を平行光にし、縮小光学レンズによって、光変調素子に照明するようにすることで、プロジエクタ装置を構成している。
【０００５】
また、図３１に示すように、異なったＬＥＤ１（赤（Ｒ）色ＬＥＤ１Ｒ、緑（Ｇ）色ＬＥＤ１Ｇ、及び青（Ｂ）色ＬＥＤ１Ｂ）からの出力光を、各々のＬＥＤ１に対応した集光光学系２である光分配レンズアレイによって取り出し、重ね合わせレンズ３にてＬＣＤなどの光変調素子４上に複数のＬＥＤ１からの光を重畳させる構成も提案されている（例えば、特許文献２参照）。
【０００６】
更に、図３２に示すように、ＬＥＤ１に近接したガラス製のテーパーロッド５の各々を複数配設して、そこから出てきた光を重ね合わせレンズ３によって光変調素子４に照明するようにしたプロジエクタ装置も提案されている（例えば、特許文献３参照）。これは、面光源であって拡散光源であるＬＥＤの発光する光の配光角をテーパーロッド５によって狭い配光角に変換し、光変調素子４への照明を効率良くするようにしたものである。
【０００７】
また、近年、屋内あるいは屋外での情報表示の分野における表示装置として、赤、緑及び青の３色系でなる各表示体に、ＬＥＤを用いて１つの画素を構成する、いわゆるフルカラーＬＥＤ表示システムが急速に普及し始めている。
【０００８】
このように赤、青、緑の各々のＬＥＤを使用した表示装置は、各種考案されてきている。
【０００９】
しかしながら、ＬＥＤは、製造バラツキが大きく、同じ電流を供給したとしても一定の明るさにならない場合が多く、ＬＥＤを使用した表示装置では、少なくとも製造時にホワイトバランス調整を行なうことが必要である。
【００１０】
そのような課題を解決する方法には、以下のような方法が提案されている。
【００１１】
製造上のバラツキによって発生した基本色の偏倚を補正して、色むらのない高画質の表示装置が、例えば、特許文献４に提案されている。これは、赤、緑、青の３色のＬＥＤによって画素を構成し、この画素を集積して構成する大型の表示装置において、赤、緑、青の３色のＬＥＤを個々に駆動させる駆動回路を設け、例えば、緑色の基準となる色度に対して単光色の緑色の色度が偏っている場合に、他のＬＥＤを発光させて、緑を赤側または青側に移動させて、基準となる色度に近づくように調整するものである。
【００１２】
また、赤色、緑色、青色の３原色のＬＥＤを組み込んだフルカラー表示パネルにおいて、個々のＬＥＤ素子の発光光度にバラツキが大きく色彩が一様に出来ない課題に対して、ＬＥＤアレイを組み込み使用する点灯駆動回路により点灯させて、その発光光度を光電変換素子で計測し、個々のＬＥＤ素子固有の発光光度対順方向電流特性を求めて基準光度にあわせた点灯駆動を行なうものも提案されている（例えば、特許文献５参照）。これにより、ＬＥＤ素子の個体差バラツキを除去することが可能となり、高品質なフルカラー表示を実現可能になるというものである。
【００１３】
更に、通常の赤色系ＬＥＤ、緑色系ＬＥＤ及び青色系ＬＥＤは、その各劣化特性が、それぞれ異なっており、表示時間の経過、つまり、積算表示時間が増すにつれて、再現色バランスが初期の所定の状態から徐々に崩れ、表示色品質が落ちるという問題がある。
【００１４】
そのような問題を解決するものとして、フルカラーＬＥＤ表示システムにおいて、白色を点灯するモニタ表示部を備え、そのモニタ部の発光する光を照度計や色度計により検出して、その検出情報を基にホワイトバランス及び再現色バランスを自動調整できる表示装置が提案されている（例えば、特許文献６参照）。
【００１５】
しかしながら、これは、白色を点灯するモニタ表示部を実際の表示と別に用意することで、コストアップであると共に、実際の表示に使用する光源と異なる光源で表示されるモニタ表示部のホワイトバランスを調整するもので、実際の表示のホワイトバランスとの差が生じてしまという課題が残る。
【００１６】
また、ホワイトバランスを補正する方法には、以下の開示例がある。
例えば、特許文献７には、フルカラーＬＥＤ表示パネル、カラー電球表示スクリーン等のカラー画像表示機器に於いて、データの色補正に用いる色補正装置が開示されている。これは、入力するＣＲＴカラー画像信号のＲ，Ｇ，Ｂデータの色相を算出し、その色相に応じた重み係数を考慮して各Ｒ，Ｇ，ＢのＬＥＤの点灯を制御する色補正装置である。即ち、図３３に示すように、この色補正装置６は、ＣＲＴカラー画像信号Ｒ，Ｇ，Ｂから６つの色相領域を判定し色相領域信号Ｓを出力する色相領域判別手段６ａと、上記ＣＲＴカラー画像信号Ｒ，Ｇ，Ｂと上記色相領域信号Ｓとから重み係数ｋ１、ｋ２、ｋ３を算出し出力する重み係数算出手段６ｂと、上記色相領域信号Ｓと上記重み係数ｋ１、ｋ２、ｋ３とからＬＥＤカラー画像信号ｒ、ｇ、ｂを線形演算により算出するＬＥＤレベル算出手段６ｃ−ｒ、６ｃ−ｇ、６ｃ−ｂとから構成され、各色相領域毎に所定の線形演算を施すことにより、ホワイトバランスのとれた白と３原色の純色表示を両立させるというものである。
【００１７】
【特許文献１】
特開平１１−３２２７８号公報
【００１８】
【特許文献２】
特許第３０４８３５３号公報
【００１９】
【特許文献３】
特許第３１５９９６８号公報
【００２０】
【特許文献４】
特開２００１−１８８５１３号公報
【００２１】
【特許文献５】
特開２００１−３４３９３５号公報
【００２２】
【特許文献６】
特開２０００−２９３１３３号公報
【００２３】
【特許文献７】
特開平９−９８４４３号公報
【００２４】
【発明が解決しようとする課題】
しかしながら、少なくとも赤、青、緑の３原色のＬＥＤを光源として、液晶ライトバルブやＤＭＤ（（デジタルマイクロミラーデバイス）の商標で知られる鏡面偏向型光変調器。このＤＭＤ（商標）の詳細については、例えば、特開平１１−３２２７８号公報の段落［００２６］や国際公開第ＷＯ９８／２９７７３号公報の第５頁第２３行目乃至第６頁第６行目を参照。）などの光変調素子の表示に関わる全面に均一に照明し、光変調素子により光変調された光を表示面に表示する表示装置において、ＬＥＤの製造バラツキや温度や経年変化などにより、赤、青、緑の各々の光の発光量や波長が特性変化が生じてしまい、表示面における色バランスが、設計時と異なってしまうことは勿論、更に、製造時に色バランスを調整した場合であっても、使用する過程で色バランスが変化してしまうという課題がある。
【００２５】
このような課題に対して、上記特許文献６で示したフルカラーＬＥＤ表示システムのように、白色を点灯するモニタ表示部を構成する光源を実際の表示に使用する光源と別に用意するとコストアップになり、更に、実際に表示面に表示する光源と異なった光源であるが為に、上記特性変化を検出することができない。
【００２６】
また、複数種の色のＬＥＤそのものが表示画像における画素としてマトリックス状に配置したフルカラー表示パネルにおいて、該ＬＥＤの発光強度を変えて画素毎の諧調を表現するものの課題とは異なる。
【００２７】
これは、フルカラー表示パネルでは、所定の距離を離れて観察する際に、近接したＲ，Ｇ，ＢのＬＥＤで構成される微小エリアが画像の一部として白色として視認されるものである。
【００２８】
逆に、前記所定の距離以下で観察する際には、ＬＥＤ各々のＲ，Ｇ，Ｂを視認することになり、白色を視認するものではない。
【００２９】
即ち、本発明は、表示面を観察者が観察する距離に係わらず、白色として照明することが必要である照明装置に関するものであることに対して、フルカラー表示パネルでは、観察者が一定の距離を離れて観察する際に、白色として表示するものであり、表示面での白色といっても異なった課題であることは勿論である。
【００３０】
また、上述した先行技術文献には、フルカラー表示パネルの例を含めＬＥＤを使用した表示装置の例が開示されている。
【００３１】
しかし、いずれの先行技術文献にも、以下の課題を解決するという記載はない。
【００３２】
即ち、Ｒ，Ｇ，Ｂの各々の発光体（ＬＥＤ）が発光する光を、各々の合成光を受光して波長特性などの解析により各々の発光体の光を類推し、各々の発光体の発光量を調整する場合が考えられるが、波長特性の検出するセンサや解析処理などのコストがかかり、更に、解析処理などの処理時間がかかるという課題がある。
【００３３】
更に、発光体からの光そのものの光を直接単独で測定するものではなく、確実に測定、或いは、類推することができなく、誤差を生じてしまう。
【００３４】
本発明は、上記の点に鑑みてなされたもので、実際に表示面に照射する光の発光源である発光体そのものの光を検出して、表示面におけるホワイトバランスを含む色バランスを調整することが可能な表示装置、光源装置、及び照明装置を提供することを目的とする。
【００３５】
【課題を解決するための手段】
上記の目的を達成するために、請求項１に記載の発明による表示装置は、
発光体からの光を光変調素子に照明して表示面で画像表示可能な表示装置において、
発光色の異なる複数の発光体（Ｒ，Ｇ，Ｂ）と、
上記発光体からの光を検出し受光量を出力する受光素子を備えた光検出手段と、
上記光検出手段からの受光量に従って、表示面における色バランスを調整し制御する色バランス調整制御手段と、
を具備し、
上記色バランス調整制御手段は、上記受光量に係る上記発光体の発光色を識別可能にした、
ことを特徴とする表示装置。
【００３６】
この構成は、図１の（Ａ）に対応するものである。
即ち、請求項１に記載の発明の表示装置によれば、発光色の異なる複数の発光体によって光変調素子を均一に照明し、表示面において白色表示可能にした表示装置において、その各々の発光体色別に光量を識別可能に受光することで、簡単な構成と処理により、ホワイトバランスを含めた色バランスを調整することができる。
【００３７】
また、請求項２に記載の発明による表示装置は、請求項１に記載の発明による表示装置において、
上記発光体は、上記発光色が赤色、緑色及び青色の３つの半導体素子からなることを特徴とする。
【００３８】
即ち、請求項２に記載の発明の表示装置によれば、発光色の異なる複数の発光体の発光色が、Ｒ，Ｇ，Ｂであることで、一般的なカラーイメージデータであるＲ，Ｇ，Ｂデータに対して簡単に対応することができる。
更に、発光体を半導体素子として入手可能である。
【００３９】
また、請求項３に記載の発明による表示装置は、請求項１に記載の発明による表示装置において、
上記発光体は、発光ダイオード・チップからなることを特徴とする。
【００４０】
即ち、請求項３に記載の発明の表示装置によれば、発光色の異なる複数の発光体として、進歩が著しく、且つ、安価な発光ダイオード・チップを用いることより、安価に構成することができる。
【００４１】
また、請求項４に記載の発明による表示装置は、請求項１に記載の発明による表示装置において、
上記色バランス調整制御手段は、
上記発光体の点灯タイミングを制御する点灯制御手段を備え、
上記点灯制御手段の制御信号に従って、上記受光量に係る上記発光体の発光色を識別可能にした、
ことを特徴とする。
【００４２】
この構成は、図５の（Ａ）乃至図６（図２乃至図４）に対応するものである。
【００４３】
即ち、請求項４に記載の発明の表示装置によれば、上記光検出手段によって得られた受光量と、発光色の異なる複数の発光体の各々のパルス点灯信号とによって、異なる複数の発光体に関する受光量を識別することができ、簡単な構成で、色バランスのための情報を取り込むことができる。
【００４４】
また、請求項５に記載の発明による表示装置は、請求項１に記載の発明による表示装置において、
上記光検出手段は、上記発光体の発光色毎に異なった受光素子を備え、
上記色バランス調整制御手段は、上記受光素子を特定する受光素子識別情報に従って、上記受光量に係る上記発光体の発光色を識別可能にした、
ことを特徴とする。
【００４５】
この構成は、図１の（Ａ）、図８の（Ａ）乃至（Ｃ）、図１０に対応するものである。
【００４６】
即ち、請求項５に記載の発明の表示装置によれば、上記発光体の発光色毎に異なった受光素子を各々の光路に配設することで、簡単な構成で、安価に各色の受光量を識別して測定できる。
【００４７】
また、請求項６に記載の発明による表示装置は、請求項１に記載の発明による表示装置において、
上記色バランス調整制御手段は、上記発光体を発光する発光量もしくは該発光の制御情報と、該発光する際の該受光量と、を含んだ較正情報によって上記色バランスを調整し制御することを特徴とする。
【００４８】
この構成は、第１の実施の形態（図１の（Ａ））、第３の実施の形態（図１８）に対応するものである。
【００４９】
即ち、請求項６に記載の発明の表示装置によれば、上記色バランス調整制御をする際の較正情報は、色バランスが調整された際の上記発光体を発光する発光量、もしくは、該発光の制御情報と、該発光する際の該受光量とを含むことで、発光体の色に関する波長情報や色度情報などを使用しなくても、簡単に色バランスの調整が可能となる。
【００５０】
また、請求項７に記載の発明による表示装置は、請求項１に記載の発明による表示装置において、
上記色バランス調整制御手段は、表示面における色バランスを調整し制御するにあたり、上記発光体の発光量を調整するように点灯制御を行なう発光量調整制御手段を含むことを特徴とする。
【００５１】
この構成は、図３の（Ａ）及び（Ｂ）、図４に対応するものである。
即ち、請求項７に記載の発明の表示装置によれば、色バランスを上記発光体の発光量を調整することで、点灯信号の点灯時間、或いは、供給電流によって簡単に制御することができ、安価で簡単な構成で制御することができる。
【００５２】
また、請求項８に記載の発明による表示装置は、請求項１に記載の発明による表示装置において、
上記色バランス調整制御手段は、表示面における色バランスを調整し制御するにあたり、上記光変調素子に供給する表示データを調整する表示データ補正制御手段を含むことを特徴とする。
【００５３】
この構成は、図２に対応するものである。
【００５４】
即ち、請求項８に記載の発明の表示装置によれば、上記光変調素子に供給する表示データを調整することで、色バランスを計算のみで簡単に制御することができる。
【００５５】
また、請求項９に記載の発明による表示装置は、請求項７に記載の発明による表示装置において、
上記発光量調整制御手段は、表示面における色バランスを調整し制御する際、上記異なる発光色の各々の発光量が、上記色バランスを保つに必要な該発光色間の発光量比を満たすように、上記異なる発光色の少なくとも何れか１つの発光色に係わる発光体への供給電流を、上記調整前と比較して減らすことを特徴とする。
【００５６】
この構成は、第１の実施の形態（図３の（Ｂ））に対応するものである。
即ち、請求項９に記載の発明の表示装置によれば、上記発光量を調整するにあたり、上記発光体に供給する供給電流を減らすようにして色バランスを調整することで、発光体の寿命を長く持たすことができ、ユーザからみて光源の交換頻度が減り、ランニングコストの安い装置を提供することができる。
【００５７】
また、請求項１０に記載の発明による表示装置は、請求項７に記載の発明による表示装置において、
上記発光量調整制御手段は、表示面における色バランスを調整し制御する際、上記異なる発光色の各々の発光量が、上記色バランスを保つに必要な該発光色間の発光量比を満たすように、上記異なる発光色の少なくとも何れか１つの発光色に係わる発光体への供給電流を、上記調整前と比較して増やすことを特徴とする。
【００５８】
この構成は、第１の実施の形態（図３の（Ａ））に対応するものである。
【００５９】
即ち、請求項１０に記載の発明の表示装置によれば、上記発光量を調整するにあたり、上記発光体に供給する供給電流を増やすようにして色バランスを調整することで、初期の明るさを下げずに変化無く安定した明るさの表示を得ることができる。
【００６０】
また、請求項１１に記載の発明による表示装置は、請求項９又は１０に記載の発明による表示装置において、
上記発光量調整制御手段は、表示面における色バランスを調整し制御する際、
上記異なる発光色の少なくとも何れか１つの発光色に係わる発光体への供給電流を、上記調整前と比較して減らす寿命優先モードと、
上記異なる発光色の少なくとも何れか１つの発光色に係わる発光体への供給電流を、上記調整前と比較して増やす明るさ優先モードと、
を切り替え可能にした、
ことを特徴とする。
【００６１】
この構成は、第３の実施の形態（図２３）に対応するものである。
【００６２】
即ち、請求項１１に記載の発明の表示装置によれば、上記寿命優先モードと上記明るさ優先モードとを切り替え可能にすることで、ユーザの使用場面に最適な使い方をすることができる。
【００６３】
また、請求項１２に記載の発明による表示装置は、請求項１に記載の発明による表示装置において、
上記光検出手段は、上記発光体からの光が表示面に照明する光束と異なった上記発光体が発光する光である不要光を検出することを特徴とする。
【００６４】
この構成は、第２の実施の形態（図５の（Ｂ）、図７の（Ａ）、図７の（Ｃ））に対応するものである。
【００６５】
即ち、請求項１２に記載の発明の表示装置によれば、上記不要光を検出することで、受光に際して、有効な光を減らすことなく、受光することができる。
【００６６】
また、請求項１３に記載の発明による表示装置は、請求項１２に記載の発明による表示装置において、
上記光検出手段は、上記発光体近傍の光を検出するように配設されていることを特徴とする。
【００６７】
この構成は、図５の（Ｂ）に対応するものである。
【００６８】
即ち、請求項１３に記載の発明の表示装置によれば、上記不要光が発光体近傍の光であることにより、発光体そのものの発光量に相関の高い受光量を得ることができる。即ち、受光素子までの光路にある光学部品などの影響をなくすことができる。
【００６９】
また、請求項１４に記載の発明による表示装置は、請求項１２に記載の発明による表示装置において、
上記光検出手段は、上記光変調素子周辺の光を検出するように配設されていることを特徴とする。
【００７０】
この構成は、図７の（Ａ）及び（Ｂ）に対応するものである。
【００７１】
即ち、請求項１４に記載の発明の表示装置によれば、光変調素子の変調領域は通常四角形であり、上記不要光が光変調素子周辺の光であることで、照明を真四角にできない場合などでは、安定した照明を光変調素子周辺に得ることができ、安定した受光量を得ることができる。また、光変調素子の周辺であるため、発光体から光変調素子までの光学部品などの要因を含めた受光量を得られ、正しく色バランスを補正することができる。
【００７２】
また、請求項１５に記載の発明による表示装置は、請求項１２に記載の発明による表示装置において、
上記光変調素子が、入力するイメージデータに従って各画素毎に、表示面に上記イメージデータに相応しい映像を表示可能な第１の方向と、該第１の方向とは異なった第２の方向と、の２つの異なる方向に、入射する光を偏光することによって光変調する複数の微小鏡面素子を有する鏡面偏向型光変調器（ＤＭＤ（商標））であって、
上記光検出手段は、上記鏡面偏向型光変調器の上記第２の方向の光を検出可能な位置に配設されている、
ことを特徴とする。
【００７３】
この構成は、図７の（Ｃ）に対応するものである。
即ち、請求項１５に記載の発明の表示装置によれば、Ｒ，Ｇ，Ｂ光を順次上記鏡面偏向型光変調器（ＤＭＤ（商標））に照明する投影装置では、上記第２の方向の光である、所謂ＯＦＦ光を受光することで、簡単に受光することができる。更に、表示面のネガ状態の画像がＯＦＦ光として受光されるため、表示面で黒表示する状態にすることで、最大光量を受光することができ、強い光を受光でき、ノイズによる誤差を低減できる。また、映像信号に応じて表示する際には、映像信号に対応した画像を表示しつつ、そのネガ状態の画像を受光素子で受光することになる。その際には、実際の受光量がネガ状態の画像であることを考慮し黒表示時に相当する補正受光量を算出し、色バランスを補正するものである。
【００７４】
ここまでは、上記受光素子が、ＤＭＤ（商標）からのＯＦＦ光をすべて受光することとして説明したが、これに限定するものではなく、画素レベルの受光量を検出するようにしても良い。即ち、ＯＦＦ光をレンズを介して撮像素子で取り込むことで可能になる。この際には、映像信号に応じて、上記ネガ状態の画像を上記撮像素子に取り込むことができ、映像信号の各色毎の階調を考慮した色バランス制御も可能になる。
【００７５】
また、請求項１６に記載の発明による表示装置は、請求項１に記載の発明による表示装置において、
上記光検出手段は、上記発光体からの光が表示面を照明する光路内の光を折り曲げて検出することを特徴とする。
【００７６】
この構成は、図８の（Ａ）乃至（Ｃ）、図９に対応するものである。
即ち、請求項１６に記載の発明の表示装置によれば、実際に照明する光の一部を検出することにより、実際の発光体から表示面の光路で起きる要因の変化を含んで、検出することができ、確実に色バランスを調整することができる。
【００７７】
また、請求項１７に記載の発明による表示装置は、請求項１６に記載の発明による表示装置において、
上記光検出手段は、表示面の表示領域の光を集光可能な光学手段を備えたことを特徴とする。
【００７８】
この構成は、図１１、図２５に対応するものである。
即ち、請求項１７に記載の発明の表示装置によれば、表示面の表示領域の光を集光することで、外光による色の変化や表示面の例えば、壁の色による色バランス劣化などを検出でき、最適に色バランスを制御することができる。
【００７９】
また、請求項１８に記載の発明による表示装置は、請求項１７に記載の発明による表示装置において、
上記受光素子は、複数の受光素子をマトリックスに配置した撮像素子であることを特徴とする。
【００８０】
この構成は、図２５に対応するものである。
即ち、請求項１８に記載の発明の表示装置によれば、映像信号に応じて、表示面の投影画像を上記撮像素子に取り込むことができ、映像信号の各色毎の階調を考慮した色バランス制御も可能になる。
【００８１】
また、請求項１９に記載の発明による表示装置は、請求項１６に記載の発明による表示装置において、
上記光検出手段は、上記光路内の光を折り曲げた光を該光路外に配設した上記受光素子に導く導光手段を備えることを特徴とする。
【００８２】
この構成は、図８の（Ａ）乃至（Ｃ）、図９、（図１０、図１２の（Ａ）、図２７）に対応するものである。
即ち、請求項１９に記載の発明の表示装置によれば、請求項１６の効果に加え、簡単に実際の発光体から表示面に照明する光を抽出することができる。
【００８３】
また、請求項２０に記載の発明による表示装置は、請求項１に記載の発明による表示装置において、
上記色バランス調整制御手段は、上記光変調素子の制御に同期して補正制御を行なうことを特徴とする。
【００８４】
この構成は、図２乃至図４、図５の（Ａ）及び（Ｂ）、図６に対応するものである。
即ち、請求項２０に記載の発明の表示装置によれば、請求項１の効果に加え、色バランス制御するタイミングをすぐ切り替えないことにより、ちらつきのない安定した表示が可能であるという効果を奏する。
【００８５】
また、請求項２１に記載の発明による表示装置は、請求項１に記載の発明による表示装置において、
上記色バランス調整制御手段は、上記光変調素子の切り替り制御に同期して上記受光量を検出することを特徴とする。
【００８６】
この構成は、図４に対応するものである。
即ち、請求項２１に記載の発明の表示装置によれば、請求項１の効果に加え、安定した受光における計測が可能であるという効果を奏する。
【００８７】
また、請求項２２に記載の発明による表示装置は、請求項２１に記載の発明による表示装置において、
上記色バランス調整制御手段は、上記受光量を積分する積分手段を備えることを特徴とする。
【００８８】
この構成は、図４、図２６に対応するものである。
即ち、請求項２２に記載の発明の表示装置によれば、請求項２１の効果に加え、受光量は、変調期間で積分をすることで、安定した計測が可能となるという効果を奏する。更に、受光エリアにおける積分により、更に、安定した計測が可能である。
【００８９】
また、請求項２３に記載の発明による表示装置は、請求項１に記載の発明による表示装置において、
上記光検出手段は、上記受光量を検出すると共に、上記発光体の波長情報を検出する波長検出機能を備えたことを特徴とする。
【００９０】
この構成は、第１の実施の形態（図１の（Ａ）の変形例の説明）に対応するものである。
即ち、請求項２３に記載の発明の表示装置によれば、請求項１の効果に加え、上記発光体の波長情報を検出し、波長の変動における色バランスを調整することができるという効果を奏する。
【００９１】
また、請求項２４に記載の発明による表示装置は、請求項１に記載の発明による表示装置において、
映像信号に従って表示面に画像を表示する状態である表示モードと、
上記光検出手段が上記受光量を検出する際に、上記光変調素子に入力するイメージデータが、上記色バランス調整制御手段が色バランスを調整するに相応しい所定の較正画像である状態の調整モードと、
を切り替え可能にするモード切替手段を更に具備する、
ことを特徴とする。
【００９２】
この構成は、図１４に対応するものである。
即ち、請求項２４に記載の発明の表示装置によれば、請求項１の効果に加え、上記表示モードと調整モードとを切り替え可能にすることで、好きな色の色バランスを調整することができる。
【００９３】
また、請求項２５に記載の発明による表示装置は、請求項２４に記載の発明による表示装置において、
上記モード切替手段は、ユーザの操作に従って上記モードを切り替えることを特徴とする。
【００９４】
この構成は、図１２の（Ｂ）、図１３、図１４に対応するものである。
即ち、請求項２５に記載の発明の表示装置によれば、請求項２４の効果に加え、ユーザの好きなときに目標とする色を変更することができるという効果を奏する。
【００９５】
また、請求項２６に記載の発明による表示装置は、請求項２４に記載の発明による表示装置において、
上記モード切替手段は、所定の較正開始信号に応じて自動的に上記モードを切り替えることを特徴とする。
【００９６】
この構成は、図２６に対応するものである。
即ち、請求項２６に記載の発明の表示装置によれば、請求項２４の効果に加え、自動的に色バランスを調整することができるという効果を奏する。
【００９７】
また、請求項２７に記載の発明による表示装置は、請求項２６に記載の発明による表示装置において、
上記モード切替手段は、上記所定の較正開始信号を発生するタイマカウンタを備えることを特徴とする。
【００９８】
この構成は、図１９に対応するものである。
即ち、請求項２７に記載の発明の表示装置によれば、請求項２６の効果に加え、所定の時間毎に較正することができるという効果を奏する。
【００９９】
また、請求項２８に記載の発明による表示装置は、請求項２６に記載の発明による表示装置において、
上記モード切替手段は、上記所定の較正開始信号を発生する温度センサを備えることを特徴とする。
【０１００】
この構成は、図１２の（Ａ）及び（Ｂ）、図２０、図２４に対応するものである。
即ち、請求項２８に記載の発明の表示装置によれば、請求項２６の効果に加え、温度に応じて較正することができるという効果を奏する。
【０１０１】
また、請求項２９に記載の発明による表示装置は、請求項１に記載の発明による表示装置において、
映像信号に従ったイメージデータを上記光変調素子に入力すると共に、上記光検出手段が上記受光量を検出し、上記色バランス調整制御手段が色バランスを調整することを特徴とする。
【０１０２】
この構成は、図１６、図１９、図２０に対応するものである。
即ち、請求項２９に記載の発明の表示装置によれば、請求項１の効果に加え、表示を中断することなく、較正することができるという効果を奏する。
【０１０３】
また、請求項３０に記載の発明による表示装置は、請求項２９に記載の発明による表示装置において、
上記光検出手段は、上記光変調素子によって光変調された光を検出することを特徴とする。
【０１０４】
この構成は、図７の（Ｃ）、図１１、図２５に対応するものである。
即ち、請求項３０に記載の発明の表示装置によれば、請求項２９の効果に加え、映像信号として供給される各中間色など様々なデータに対する色バランスを調整可能であるという効果を奏する。
【０１０５】
また、請求項３１に記載の発明による表示装置は、請求項１に記載の発明による表示装置において、
上記光検出手段は、上記光変調素子によって光変調された光を撮像素子によって検出し、
上記色バランス調整制御手段は、上記色バランスを調整するに相応しい所定の較正画素を上記撮像素子の撮像画像より検出するようにした、
ことを特徴とする。
【０１０６】
この構成は、図２５に対応するものである。
即ち、請求項３１に記載の発明の表示装置によれば、請求項１の効果に加え、表示を中断することなく、較正することができるという効果を奏する。
【０１０７】
また、請求項３２に記載の発明による表示装置は、請求項１に記載の発明による表示装置において、
上記色バランス調整制御手段は、色バランスを調整する際に、所定の条件を満たさない状態であることを検出するものであって、該検出に伴ってユーザに認知可能に報知する報知手段を備えることを特徴とする。
【０１０８】
この構成は、図１９、図２１に対応するものである。
即ち、請求項３２に記載の発明の表示装置によれば、請求項１の効果に加え、色バランスや明るさなどが所定の条件を満たさない状態であることを検出する際に、ユーザに認知可能に報知することができるという効果を奏する。
【０１０９】
また、請求項３３に記載の発明による表示装置は、請求項１に記載の発明による表示装置において、
上記色バランス調整制御手段は、上記表示面における色バランスの調整が所望の色バランスに設定可能にする色バランス目標値設定手段を備えることを特徴とする。
【０１１０】
この構成は、図１２の（Ｂ）、図１３、図１５に対応するものである。
即ち、請求項３３に記載の発明の表示装置によれば、請求項１の効果に加え、ユーザの所望する色に調整することができるという効果を奏する。
【０１１１】
また、請求項３４に記載の発明による表示装置は、請求項６に記載の発明による表示装置において、
上記較正情報を記録した記録媒体と、
上記較正情報を取得する際の上記発光体のそれぞれを一体的に保持する保持手段と、
を更に具備する、
ことを特徴とする。
【０１１２】
この構成は、図２４に対応するものである。
即ち、請求項３４に記載の発明の表示装置によれば、請求項６の効果に加え、光源である発光体を交換部品として交換した際に、その交換部品上に配された半導体メモリやバーコード等の記録媒体に記録された較正情報により、改めて調整モードを行なわなくても、すぐに色バランスを調整して表示可能であるという効果を奏する。
【０１１３】
また、請求項３５に記載の発明による表示装置は、請求項３４に記載の発明による表示装置において、
上記記録媒体が半導体メモリであることを特徴とする。
【０１１４】
この構成は、図２４に対応するものである。
即ち、請求項３５に記載の発明の表示装置によれば、請求項３４の効果に加え、半導体メモリにより確実に、且つ、安価に構成することができるという効果を奏する。
【０１１５】
また、請求項３６に記載の発明による表示装置は、請求項１に記載の発明による表示装置において、
上記発光体の出射光を上記光変調素子に導き照射する光学手段を更に具備し、
上記色バランス調整制御手段は、
上記発光体それぞれを点灯駆動する点灯手段と、
上記発光体と上記光学手段とを相対的に移動させる移動手段と、
上記光変調素子を照明する光を上記複数の発光体の出射光から選択するように上記移動手段、及び／又は、上記点灯手段を制御する光選択制御手段と、
を備える、
ことを特徴とする。
【０１１６】
この構成は、図２７に対応するものである。
即ち、請求項３６に記載の発明の表示装置によれば、請求項１の効果に加え、明るく表示することができるという効果を奏する。
【０１１７】
また、請求項３７に記載の発明による表示装置は、請求項３６に記載の発明による表示装置において、
上記色バランス調整制御手段は、上記光選択制御手段の選択に係わる制御信号に従って、上記受光量に係る上記発光体の発光色を識別可能にしたことを特徴とする。
【０１１８】
この構成は、図２７に対応するものである。
即ち、請求項３７に記載の発明の表示装置によれば、請求項３６の効果に加え、上記受光手段によって得られた受光信号と、上記選択信号とによって、異なる複数の発光体に関する受光量を識別することができ、簡単な構成で、色バランスの為の情報を取り込むことができるという効果を奏する。
更に、発光体毎に関わる受光量も検出し、調整可能である。
【０１１９】
また、請求項３８に記載の発明による光源装置は、請求項１に記載の表示装置に用いる光源装置であって、
上記複数の発光体（Ｒ，Ｇ，Ｂ）と、上記複数の発光体に関する較正データを記憶する記憶媒体と、を上記表示装置に対して脱着可能に一体的に保持することを特徴とする。
【０１２０】
この構成は、図２４に対応するものである。
即ち、請求項３８に記載の発明の光源装置によれば、調整モードの処理をせずに、すぐに色バランス可能な光源装置を提供することができる。
【０１２１】
また、請求項３９に記載の発明による光源装置は、請求項３８に記載の発明による光源装置において、
上記記憶媒体が半導体メモリであることを特徴とする。
【０１２２】
この構成は、図２４に対応するものである。
即ち、請求項３９に記載の発明の光源装置によれば、請求項３８の効果に加え、安価で確実な構成が可能であるという効果を奏する。
【０１２３】
また、請求項４０に記載の発明による照明装置は、
発光体からの光を被照射領域に照明する照明装置において、
発光色の異なる複数の発光体（Ｒ，Ｇ，Ｂ）と、
上記発光体からの光を検出し受光量を出力する受光素子を備えた光検出手段と、
上記光検出手段からの受光量に従って、被照射領域における色バランスを調整し制御する色バランス調整制御手段と、
を具備し、
上記色バランス調整制御手段は、上記受光量に係る上記発光体の発光色を識別可能にした、
ことを特徴とする。
【０１２４】
この構成は、図１の（Ａ）に対応するものである。
即ち、請求項４０に記載の発明の照明装置によれば、請求項１と同様の効果が得られる、色バランス制御が可能なスポットライトなどの照明装置を提供することができる。
【０１２５】
【発明の実施の形態】
以下、本発明の実施の形態を図面を参照して説明する。
【０１２６】
［第１の実施の形態］
図１の（Ａ）は、本発明の第１の実施の形態に係る表示装置の構成を示す図である。
【０１２７】
即ち、本実施の形態に係る表示装置は、図３１に示した特許文献２に開示されているようなプロジェクタ装置と同様に、発光色の異なった複数のＬＥＤ１（Ｒ−ＬＥＤ１Ｒ、Ｇ−ＬＥＤ１Ｇ、及びＢ−ＬＥＤ１Ｂ）からの出力光を、各々のＬＥＤ１に対応した集光光学系２である光分配レンズアレイによって取り出し、重ね合わせレンズ３にて光変調素子４上に上記複数のＬＥＤ１からの光を重畳させる構成となっている。
【０１２８】
そして、上記光変調素子４、例えば透過型ＬＣＤに画像を表示することで、その表示された画像を投影レンズ１０で表示面であるスクリーン１００面上に拡大投影する。
【０１２９】
ここで、上記光変調素子４に表示される画像は、該表示装置に入力されるカラー映像信号から色バランス調整制御手段１１にて生成されたＲ，Ｇ，Ｂの各イメージデータであり、それらが対応する色のＬＥＤ１の発光タイミングに合わせて順次表示される。即ち、上記色バランス調整制御手段１１は、表示データ補正制御手段１２によって、入力カラー映像信号からＲ，Ｇ，Ｂの各イメージデータと同期信号を生成して上記光変調素子４に供給し、また、発光量調整制御手段１３によって、上記同期信号に従って各色のＬＥＤ１を点灯する。なお、上記発光量調整制御手段１３は、図３３に示した特許文献７に開示されているような色補正装置６と同様の機能を持つものである。即ち、入力するカラー映像信号のＲ，Ｇ，Ｂデータの色相を算出し、その色相に応じた重み係数を考慮して各Ｒ，Ｇ，ＢのＬＥＤ１の点灯を制御するものである。
【０１３０】
またこのとき、上記表示データ補正制御手段１２によって、上記光変調素子４に供給するイメージデータを調整したり、または、上記発光量調整制御手段１３によって、上記ＬＥＤ１の発光量を調整するように点灯制御を行なうことによって、上記色バランス調整制御手段１１は、スクリーン１００面における色バランスを調整し制御することができる。この場合、本実施の形態では、上記複数のＬＥＤ１それぞれの近傍位置に、対応するＬＥＤ１からの光を検出し受光量を出力する受光素子１４を配置構成し、その各受光素子１４からの受光量を上記色バランス調整制御手段１１に供給するようにしており、これによって、各受光量に基づいて色バランスの調整制御が行なわれるものである。、
なお、図１の（Ａ）中、参照番号１５は、電源釦、投影／終了釦、色調整釦、輝度調整釦、等を含む操作パネルである。
【０１３１】
ところで、ＬＥＤ１は、図１の（Ｂ）に示すように、供給電流Ｉと発光量とは相関があり、供給電流Ｉを倍にすれば発光量が倍になる関係にある。一方、受光素子１４は、受光量Ｓと出力信号とがリニアである。従って、結果として、図１の（Ｃ）に示すように、ＬＥＤ１の供給電流Ｉと受光素子１４の受光量Ｓとはリニアな関係となる。
【０１３２】
更に、ＬＥＤ１は、図１の（Ｂ）中に破線で示すように、経年変化などの劣化に伴い発光量が減少するもので、その際にも、図１の（Ｃ）中に破線で示すように、供給電流Ｉに対して発光量Ｓはリニアであるとする。
【０１３３】
また、受光素子１４の感度特性は、図１の（Ｄ）に示すように、同じパワーを持った波長の違う光を受光した際に、それぞれ出力する信号の大きさが異なる。
【０１３４】
そこで、係る構成の表示装置では、まず、出荷時に、以下の較正データ取得処理を施す。
【０１３５】
１．  操作パネル１５の色調整釦が押下されると、以下の処理を実行する。
【０１３６】
２．  すべての画素が白色データ（２５５，２５５，２５５）である白色イメージデータを光変調素子４に供給し駆動する。
【０１３７】
３．  Ｒ，Ｇ，ＢのＬＥＤ１には、それぞれ基準供給電流Ｉｒｉ，Ｉｇｉ，Ｉｂｉを順次１／３６０秒毎に供給しパルス点灯する。
【０１３８】
４．  スクリーン１００における投影画像が白色表示され、その光を色度計により測定すると共に、各々の光の合成光のホワイトバランスを評価する。
【０１３９】
５．  評価結果においてホワイトバランスがズレている場合には、そのズレを補正すべく、それぞれの色別にＬＥＤ１の発光量を調整するようにする。
【０１４０】
６．  該調整は、色調整釦により設定変更するものである。
【０１４１】
７．  また、その調整に従って、Ｒ，Ｇ，Ｂ別に発光量を変更するもので、発光量の変更は、供給電流を変更することによる。
【０１４２】
その際、Ｒ，Ｇ，ＢのＬＥＤ１には、供給電流Ｉｒ１，Ｉｇ１，Ｉｂ１を順次１／３６０秒毎に供給しパルス点灯する。
【０１４３】
８．  再度評価した結果のホワイトバランスが許容範囲にある場合には、その際のＲ，Ｇ，Ｂの各受光素子１４の受光量Ｓｒ，Ｓｇ，Ｓｂと供給電流Ｉｒ１，Ｉｇ１，Ｉｂ１とＲ，Ｇ，Ｂの点灯時間Ｔｒ，Ｔｇ，Ｔｂをフラッシュメモリなどの不揮発性メモリに保存する。
【０１４４】
この場合の上記点灯時間は、Ｔｒ＝Ｔｇ＝Ｔｂ＝１／３６０秒である。
【０１４５】
上記発光量の変更は、供給電流の変更に限定するものではなく、Ｒ，Ｇ，Ｂ別のパルス点灯時間を調整するようにしても良い。その際、フラッシュメモリに保存するＴｒ，Ｔｇ，Ｔｂは、各々異なった時間になる場合がある。
【０１４６】
次に、該表示装置の出荷後、使用する際に、以下の処理により較正処理を施す。なお、この較正処理をするタイミングは、各種考えられ、後で詳しく説明する。
【０１４７】
１．  操作パネル１５の電源釦をＯＮにする。
【０１４８】
２．  投影／終了釦を押下して、表示状態に設定する。
【０１４９】
３．  光変調素子４に供給し駆動するデータは、外部より入力するカラー映像信号に従って、Ｒ，Ｇ，Ｂのイメージデータとして供給するよう設定する。
【０１５０】
４．  Ｒ，Ｇ，ＢのＬＥＤ１には、それぞれ供給電流Ｉｒ１，Ｉｇ１，Ｉｂ１を順次１／３６０秒毎に供給しパルス点灯する。
【０１５１】
５．  各ＬＥＤ毎に配設された受光素子１４から各々受光量Ｓｒ１，Ｓｇ１，Ｓｂ１を測定する。
【０１５２】
６．  ホワイトバランスを以下の手順で評価する。
【０１５３】
即ち、あるタイミングで上記評価をした際の受光量Ｓｒ１，Ｓｇ１，Ｓｂ１が以下を満たせば良い。
【０１５４】
式１：  Ｓｇ／Ｓｒ−α＜Ｓｇ１／Ｓｒ１＜Ｓｇ／Ｓｒ＋α
式２：  Ｓｂ／Ｓｒ−β＜Ｓｂ１／Ｓｒ１＜Ｓｂ／Ｓｒ＋β
７．  評価結果がＮＧであるならば、Ｒ，Ｇ，ＢのＬＥＤ１には、それぞれ供給電流Ｉｒ２，Ｉｇ２，Ｉｂ２を順次１／３６０秒毎に供給しパルス点灯し、得られる受光量Ｓｒ２，Ｓｇ２，Ｓｂ２が以下の式３となるように、供給電流Ｉｒ２，Ｉｇ２，Ｉｂ２を設定する。例えば、以下の式４，式５，式６に従って設定することで、早期に式３を満たす結果を得ることができる。
【０１５５】
式３：  Ｓｒ：Ｓｇ：Ｓｂ＝Ｓｒ２：Ｓｇ２：Ｓｂ２
式４：  Ｉｒ２＝Ｉｒ１
式５：  Ｉｇ２＝Ｉｇ１×（Ｓｇ／Ｓｒ）／（Ｓｇ１／Ｓｒ１）
式６：  Ｉｂ２＝Ｉｂ１×（Ｓｂ／Ｓｒ）／（Ｓｂ１／Ｓｒ１）
ＬＥＤ１が劣化していなければ、Ｉｒ２＝Ｉｒ１、Ｉｇ２＝Ｉｇ１、Ｉｂ２＝Ｉｂ１となり、勿論、ホワイトバランスは較正時と同じになる。
【０１５６】
また、各々のＬＥＤ１が劣化していれば、Ｉｒ１＞Ｉｒ２、Ｉｇ１＞Ｉｇ２、Ｉｂ１＞Ｉｂ２となるものの、ホワイトバランスが取れているか不明である。
【０１５７】
Ｓｇ／Ｓｒ＝Ｓｇ１／Ｓｒ１とＳｂ／Ｓｒ＝Ｓｂ１／Ｓｒ１を満たせば、各ＬＥＤ１が同じ比で劣化したものと考えられ、ホワイトバランスが取れていることを示す。
【０１５８】
逆に、ホワイトバランスが取れていない場合には、上記式１１におけるＲ，Ｇ，Ｂのバランスを保つべく、各ＬＥＤ１の発光量を調整するようにする制御する。
【０１５９】
上記α，βは、色バランス調整制御手段１１内の不図示のＲＯＭに記憶しておいた情報であり、それを読み出して使用するものである。また、Ｓｒ，Ｓｇ，Ｓｂ及びＩｒ１，Ｉｇ１，Ｉｂ１は、上記不揮発性メモリより読み出した情報である。
【０１６０】
また、ホワイトバランスを再度制御する際も同様にスクリーン１００面におけるホワイトバランスが取れた際の較正情報により上記制御を行なうものである。
【０１６１】
次に、実際のホワイトバランスの制御の仕方について説明する。これには、表示データ補正によるもの、供給電流の制御によるもの、点灯時間の制御によるもの、等があり、以下にそれぞれを説明する。
【０１６２】
図２は、発光量調整制御手段１３によってＬＥＤ１の発光量を制御することなく、表示データ補正制御手段１２によってイメージデータを変換し、スクリーン１００面におけるホワイトバランスを調整する場合のタイミングチャートを示している。
【０１６３】
即ち、発光量調整制御手段１３は、各色のＬＥＤ１Ｒ，１Ｇ，１Ｂを順次パルス点灯するように、供給電流Ｉｒ１，Ｉｇ１，Ｉｂ１を供給する。このとき、各パルス点灯用の供給電流Ｉｒ１，Ｉｇ１，Ｉｂ１のレベルはそれぞれ一定である。よって、各ＬＥＤ１の発光量も一定となるはずではあるが、前述したように、ＬＥＤは経年変化により劣化し、発光量は徐々に低下する。従って、対応する各受光素子１４での受光量は、出荷時に上記フラッシュメモリなどの不揮発性メモリに保存した受光量Ｓｒ，Ｓｇ，Ｓｂとは徐々に異なっていくことになる。そこで、表示データ補正制御手段１２によって、各受光素子１４での受光量とこの受光量Ｓｒ，Ｓｇ，Ｓｂとを比較し、その比に応じて、光変調素子４へ供給するイメージデータを変換する。
【０１６４】
例えば、各受光素子１４での受光量Ｓｒ１０，Ｓｇ１０，Ｓｂ１０が得られたとき、Ｓｒ＝Ｓｒ１０、Ｓｂ＝Ｓｂ１０、Ｓｇ＞Ｓｇ１０（＝Ｓｇ−ΔＳｇ’）であったならば、光変調素子４へ供給するイメージデータのうち、Ｒデータ及びＢデータはそのままＲ１及びＢ１として供給するが、Ｇデータについては、以降、Ｇ１からＧ２（Ｇ２＞Ｇ１）に変換して供給するものとする。なお、このとき、この新しい受光量Ｓｒ１０，Ｓｇ１０，Ｓｂ１０を上記出荷時の受光量Ｓｒ，Ｓｇ，Ｓｂに代えて較正情報として不揮発性メモリに保存しておく。
【０１６５】
よって、その後、再度ホワイトバランスを制御する際には、この受光量Ｓｒ１０，Ｓｇ１０，Ｓｂ１０が比較対象として利用される。例えば、この再度の制御時に、各受光素子１４で得られた受光量Ｓｒ１１，Ｓｇ１１，Ｓｂ１１が、Ｓｒ１０＝Ｓｒ１１、Ｓｂ１０＞Ｓｂ１１（＝Ｓｂ１０−ΔＳｂ’）、Ｓｇ１０＝Ｓｇ１１であったならば、光変調素子４へ供給するイメージデータのうち、Ｒデータ及びＧデータはそのままＲ１及びＧ２として供給するが、Ｂデータについては、以降、Ｂ１からＢ２（Ｂ２＞Ｂ１）に変換して供給することになる。そしてこのときも、この新しい受光量Ｓｒ１１，Ｓｇ１１，Ｓｂ１１を上記受光量Ｓｒ１０，Ｓｇ１０，Ｓｂ１０に代えて較正情報として不揮発性メモリに保存しておき、次回のホワイトバランス制御備えることとなる。
【０１６６】
以上のようにして、表示データ補正制御手段１２によってイメージデータを変換することで、スクリーン１００面におけるホワイトバランスを調整することが可能となる。
【０１６７】
図３の（Ａ）は、表示データ補正制御手段１２によってイメージデータを変換することなく、発光量調整制御手段１３によってＬＥＤ１の発光量を制御するもので、特に、供給電流の制御によって発光強度を制御し、スクリーン１００面におけるホワイトバランスを調整する場合のタイミングチャートを示している。
【０１６８】
即ち、発光量調整制御手段１３は、各色のＬＥＤ１Ｒ，１Ｇ，１Ｂを順次パルス点灯するように、供給電流Ｉｒ１１，Ｉｇ１１，Ｉｂ１１を供給する。このとき、各受光素子１４で得られた受光量Ｓｒ２１，Ｓｇ２１，Ｓｂ２１がＳｒ＝Ｓｒ２１、Ｓｂ＝Ｓｂ２１、Ｓｇ＞Ｓｇ２１（＝Ｓｇ−ΔＳｇ’）であったならば、発光量調整制御手段１３は、次の各色のタイミングでの供給電流Ｉｒ１２及びＩｂ１２は今回の供給電流Ｉｒ１１及びＩｂ１１と同じレベルで供給する。これに対して、Ｇ−ＬＥＤ１Ｇへの供給電流Ｉｇ１２については、先の供給電流Ｉｇ１１よりもレベルを増加して供給することで、Ｇ−ＬＥＤ１Ｇの発光強度を増大させる。このときの供給電流の増加量は、この増加後に得られる対応する受光素子１４の受光量Ｓｇ２２がＳｇ＝Ｓｇ２２となるような量である。なおこのとき、光変調素子４へ供給するイメージデータは変換することなく、Ｒ１，Ｇ１，Ｂ１のままである。
【０１６９】
以上のようにして、発光量調整制御手段１３によってＬＥＤ１の供給電流を制御することで、スクリーン１００面におけるホワイトバランスを調整することが可能となる。
【０１７０】
ところでこの際、ＬＥＤ１は、該ＬＥＤ１の性能を左右する周囲温度やパルス点灯時間やパルス間隔など様々な要因を考慮して、供給電流を制限する必要がある。
【０１７１】
上述したような供給電流の制御による発光強度を制御する際には、該制限を考慮して、供給電流を設定する必要がある。即ち、ＬＥＤ１の劣化と共に、その劣化に応じてホワイトバランスが得られる際の光量は、減衰する方向に制御する必要がある。
【０１７２】
これを、図３の（Ｂ）を参照して説明する。
【０１７３】
当初の設定では、ＬＥＤ１Ｒ，１Ｇ，１Ｂの供給電流Ｉｒ１１，Ｉｇ１１，Ｉｂ１１の少なくとも１つを該制限の上限に設定することが考えられるが、その後、ＬＥＤの劣化などにより、同じ供給電流を流しても同じ発光量を得ることができなくなる。
【０１７４】
そのＬＥＤをＧ−ＬＥＤ１Ｇとすると、このＧ−ＬＥＤ１Ｇには、Ｉｇ１１以上の電流を流すことは故障の原因になってしまう。
【０１７５】
そこで、図３の（Ａ）に示すような制御では供給電流Ｉｇ１１をＩｇ１２へと増加させるよう制御していたが、ここでは、Ｉｇ１１を上記上限に固定し、故障を起こさないようにし、逆に、Ｉｒ１，Ｉｂ１を減らすようにして、ホワイトバランスを調整する。
【０１７６】
Ｇ−ＬＥＤ１Ｇの上記制限がＩｇ１１とすると、供給電流Ｉｒ１２，Ｉｇ１２，Ｉｂ１２は以下の式によって決定する。
【０１７７】
式１３：  Ｉｒ１２＝Ｉｒ１１×Ｓｇ２１／Ｓｇ  （但し、Ｓｒ＝Ｓｒ２１）
式１４：  Ｉｇ１２＝Ｉｇ１１
式１５：  Ｉｂ１２＝Ｉｂ１１×Ｓｇ２１／Ｓｇ  （但し、Ｓｂ＝Ｓｂ２１）
これにより、ＬＥＤを故障することなく制御することができ、勿論、ＬＥＤの寿命を長持ちさせることができるものである。
【０１７８】
逆に、上記制限に対して各ＬＥＤ１の供給電流に余裕がある場合には、図３の（Ａ）に示したように、光量を増加するように供給電流を増加させるようにすることで、ホワイトバランスが取れた状態で明るい表示を得ることができる。
【０１７９】
図４は、発光量調整制御手段１３によってＬＥＤ１の発光量を制御する際に、パルス点灯における点灯時間を制御して、スクリーン１００面におけるホワイトバランスを調整する場合のタイミングチャートを示している。
【０１８０】
即ち、発光量調整制御手段１３は、各色のＬＥＤ１Ｒ，１Ｇ，１Ｂを順次パルス点灯するように、供給電流Ｉｒ３１，Ｉｇ３１，Ｉｂ３１を、時間ｔｒ１，ｔｇ１，ｔｂ１（ｔｒ１＝ｔｇ１＝ｔｂ１）の間、供給する。このとき、各受光素子１４で得られた受光量Ｓｒ３１，Ｓｇ３１，Ｓｂ３１の積分値□Ｓｒ３１，□Ｓｇ３１，□Ｓｂ３１が、□Ｓｒ３１：□Ｓｇ３１：□Ｓｂ３１＝Ｓｒ：Ｓｇ：Ｓｂを満たすようにする。ここで、Ｓｒ×ｔｒ１＝□Ｓｒ３１、Ｓｂ×ｔｂ１＝□Ｓｂ３１、Ｓｇ×ｔｇ１＞□Ｓｇ３１（＝Ｓｇ×ｔｇ１−Δ□Ｓｇ’）であったならば、発光量調整制御手段１３は、次のタイミングでのＧ−ＬＥＤ１Ｇへの供給電流Ｉｇ３１の供給時間を先の供給時間ｔｇ１よりも長いｔｇ２にし、ｔｒ２，ｔｂ２をｔｒ１，ｔｂ１より短く変更し、周期Ｔを一定に保つ。従って、上記供給時間ｔｇ２は、それによって得られる受光量Ｓｇ３２の積分値□Ｓｇ３２が、上記Ｓｇ×ｔｇ１と等しくなるような時間とされるのではなく、他の色の供給電流Ｉｒ３１，Ｉｂ３１の供給時間が減ったことにより先の積分値□Ｓｒ３１，□Ｓｂ３１よりも減少することになる積分値□Ｓｒ３２，□Ｓｂ３２とバランスがとれるような（即ち、ホワイトバランスがとれるような）時間に決められるものである。またこのとき、表示データ補正制御手段１２は、各色のイメージデータそのものは変換しないが、それぞれの光変調素子４への供給時間を、上記変更された供給電流の時間に合わせて調整する。
【０１８１】
また、他の場合、例えば図４の右側に示したように、□Ｓｂ３１＞□Ｓｂ３２＝□Ｓｂ３１−Δ□Ｓｂ’であった場合も、上述と同様に調整することができる。
【０１８２】
以上のようにして、発光量調整制御手段１３によってＬＥＤ１の点灯時間を制御することで、スクリーン１００面におけるホワイトバランスを調整することが可能となる。
【０１８３】
以上の本第１の実施の形態の説明は、受光素子１４で計測した受光量に基づいてスクリーン１００面におけるホワイトバランスを調整するものとしたが、受光素子１４として、光量の他に、分光特性、或いは、それに準じる光の波長の変化を測定する波長検出機能を備えるものを使用して、波長に基づいてホワイトバランスを調整することも可能である。
【０１８４】
即ち、ＬＥＤ１の発光する光の波長は、供給する電流量の変化や温度変化、経年変化などによって変化することがあり、その変化を上記受光素子１４により検出して、その波長を考慮したホワイトバランス調整をするものである。
【０１８５】
この際、ホワイトバランス調整は、カラー映像信号に対する光変調素子４に供給するイメージデータを補正制御する表示データ補正制御手段１２、ＬＥＤ１の発光量を制御する発光量調整制御手段１３の何れか１つ、或いは、両方を使用し、ホワイトバランスを調整するようにすれば良い。
【０１８６】
また、ホワイトバランスに限定するものではない。
【０１８７】
例えば、色バランス調整制御手段１１は、特定のＲ，Ｇ，Ｂデータに対するスクリーン１００面での色が所望の色となるように調整するものとし、その調整に従って、入力されるカラー映像信号が調整されて、スクリーン１００面に投影されるようにしても良い。
【０１８８】
［第２の実施の形態］
次に、本発明の第２の実施の形態を説明する。
本発明の第２の実施の形態では、受光素子１４の配設数や配設場所に関し、詳しく説明する。
【０１８９】
図５の（Ａ）の機能構成図及び図５の（Ｂ）の斜視図に示すように、集光光学系２であるマイクロレンズの近傍で、且つ、上記複数のＬＥＤ１Ｒ，１Ｇ，１Ｂから等距離に、１個の受光素子１４を配置する。即ち、各ＬＥＤ１Ｒ，１Ｇ，１Ｂの発光による各色の光の内、それぞれスクリーン１００面に集光できない不要光を受光素子１４で受光するようにしている。
【０１９０】
この場合、各ＬＥＤ１Ｒ，１Ｇ，１Ｂは順次パルス点灯するが、各色の不要光を１個の受光素子１４で受けるため、受光素子１４からの受光信号は、図６に示すように、１つしか得られない。即ち、ＲＧＢが時分割多重された受光信号が色バランス調整制御手段１１に入力されることになる。そこで、色バランス調整制御手段１１は、この受光素子１４からの受光信号を、ＬＥＤ別の供給電流信号パルスにより分離、つまり、各ＬＥＤ１Ｒ，１Ｇ，１Ｂが発光するタイミングで分離して、各ＬＥＤ１Ｒ，１Ｇ，１Ｂの受光信号を識別する。そして、その分離識別した各色の受光信号に基づいて、上記第１の実施の形態で説明したような表示データ補正制御、供給電流制御、又は点灯時間制御により色バランスを調整することができる。
【０１９１】
また、図７の（Ａ）及び（Ｂ）に示すように、受光素子１４を、光変調素子４周辺の光を検出するような位置に配設しても良い。即ち、光変調素子４と同形状、同サイズの照明エリア１６を得られない場合、光変調素子４に照射されない光は不要光となるが、この不要光を受光するよう受光素子１４を配置することで、安定した照明が与えられる光変調素子４周辺で受光でき、安定した受光量を得ることができる。また、光変調素子４の周辺であるため、ＬＥＤ１から光変調素子４までの光学部品などの要因を含めた受光量を得られ、上記光学部品による要因を考慮して正しく色バランスを補正することができる。
【０１９２】
なお、この場合も、１つの受光素子１４を用いているため、ＲＧＢ時分割多重された受光信号から各色の受光信号を分離識別することが必要なことは勿論である。
【０１９３】
更に、図７の（Ｃ）に示すように、光変調素子４として、ＤＭＤ（商標）を使用した投影表示装置の場合、受光素子１４を、遮光板を兼ねた受光素子１４’として構成しても良い。
【０１９４】
即ち、ＤＭＤ（商標）は、図７の（Ｄ）に示すように、入力するイメージデータに従って各画素毎に、表示面に上記イメージデータに相応しい映像を表示可能な第１の方向と、該第１の方向とは異なった第２の方向と、の２つの異なる方向に、上記ＬＥＤ１、集光光学系２、重ね合わせレンズ３等を含む照明ユニット１７から順次照射され入射するＲ，Ｇ，Ｂ光を偏向することによって光変調する複数の微小鏡面素子（ミラー１８）を有するものである。
【０１９５】
ここで、遮光板を兼ねた受光素子１４’は、上記第２の方向の光である、所謂ＯＦＦ光を受光することで、簡単に受光することができる。更に、受光素子１４’は、スクリーン１００面のネガ状態の画像がＯＦＦ光として受光されるため、スクリーン面で黒表示する状態にすることで、最大光量を受光することができ、強い光を受光でき、ノイズによる誤差を低減できる。
【０１９６】
パルス幅変調するＤＭＤ（商標）において、すべてのミラー１８の角度が固定している最小期間が存在する。色バランス調整制御手段１１は、Ｒ，Ｇ，Ｂの色別に該最小期間での受光素子１４’の１つのミラー１８がＯＦＦ状態にある際の受光素子１４’の受光量とＯＦＦを示すミラー１８の数とによって、ＬＥＤ１における発光量を算出するようにし、当初の発光量との差をＲ，Ｇ，Ｂ別に計算し、色バランスの調整制御を行なう。
【０１９７】
また、映像信号に応じて表示し、較正のための調整制御を行う際には、映像信号に対応した画像を表示しつつ、そのネガ状態の画像を受光素子１４’で受光することになる。その際には、色バランス調整制御手段１１は、実際の受光量がネガ状態の画像であることを考慮し黒表示時に相当する補正受光量を算出し、色バランスを補正するものである。
【０１９８】
図８の（Ａ）乃至（Ｃ）は、各色毎に、ＬＥＤ１前面に配された断面矩形のテーパーロッド５の出射面に導光板１９を配し、該導光板１９により各色毎の受光素子１４まで各色の光を導光して受光させるようにしたものである。ここで、導光板１９には、テーパーロッド５からの出射光の一部の光路を折り曲げるための切り欠き２０と、該切り欠き２０によって折り曲げられた光を該導光板１９内で反射させるための反射膜２１とが設けられている。また、色バランス調整制御手段１１は、何れの受光素子１４の受光信号であるかにより色を識別できるので、上記のような発光タイミングでの分離は必要ない。
【０１９９】
このように、実際に照明する光の一部を検出することにより、実際のＬＥＤ１からスクリーン１００面の光路で起きる要因の変化を含んで、検出することができ、確実に色バランスを調整することができる。
【０２００】
また、図９に示すように、各色の光を１つの導光板１９で１つの受光素子１４にて計測するようにしても良いことは勿論である。但しこの場合は、Ｒ，Ｇ，Ｂパルス点灯による受光信号の分離が必要となる。
【０２０１】
更に、図１０に示すように、各色別に異なった光路とし、各々用の受光素子１４を配設する構成としても良い。即ち、各色毎に、ＬＥＤ１からの光をテーパーロッド５を介して各色別の光変調素子４に照射し、それぞれ光変調された光をダイクロイックプリズム（ＤＰ）２２で折り曲げて投影レンズ１０によってスクリーン１００に投影する投影表示装置に於いて、各色別に、図８の（Ａ）乃至（Ｃ）のように、テーパーロッド５と光変調素子４との間に導光板１９を配し、各色用の受光素子１４で受光する。
【０２０２】
また、図１１に示すように、表示面であるスクリーン１００に投影した光を、表示面の表示領域の光を集光可能な光学手段である撮像レンズ２３を介して受光素子１４で検出するような構成も考えられる。
【０２０３】
このような構成とすれば、表示面の表示領域の光を集光することで、外光による色の変化や表示面の例えば、壁の色による色バランス劣化などを検出でき、最適に色バランスを制御することができる。また、光変調素子４によって光変調された光を検出するので、映像信号として供給される各中間色など様々なデータに対する色バランスを調整可能である。
【０２０４】
［第３の実施の形態］
次に、本発明の第３の実施の形態を説明する。
【０２０５】
本第３の実施の形態では、色バランス調整制御手段１１の制御タイミングに関して、様々な例を示し詳しく説明する。
【０２０６】
図１２の（Ａ）は本第３の実施の形態に係る表示装置の構成を示す図である。本構成は、図９に示した構成とほぼ同じであるが、各ＬＥＤ１を実装するＬＥＤ基板２４を一体化し、そのＬＥＤ基板２４のＬＥＤ実装面と反対側の面（裏面）に温度センサ２５を配置している。
【０２０７】
図１２の（Ｂ）は、上記色バランス調整制御手段１１の詳細構成を示すブロック図である。即ち、この色バランス調整制御手段１１は、バス２６、ＣＰＵ２７、ＲＯＭ２８、ＲＡＭ２９、映像入力部３０、表示用メモリ３１、ＬＣＤ制御回路３２、ＬＥＤ点灯制御回路３３、フラッシュメモリ３４、及びＴＩＭＥＲ３５から構成され、上記バス２６を介して、上記ＣＰＵ２７に、該色バランス調整制御手段１１内のＲＯＭ２８、ＲＡＭ２９、表示用メモリ３１、ＬＥＤ点灯制御回路３３、フラッシュメモリ３４、及びＴＩＭＥＲ３５と、該色バランス調整制御手段１１外の受光素子１４、操作パネル１５、及び温度センサ２５とを接続している。
【０２０８】
ここで、ＣＰＵ２７は、該色バランス調整制御手段１１全体の制御を行なうものであり、ＲＯＭ２８には、そのためのプログラムや各種制御データが記憶され、ＲＡＭ２９は、ＣＰＵ２７のワークメモリとして利用されるものである。
【０２０９】
映像入力部３０は、投影表示すべきカラー映像信号を入力し、表示用メモリ３１に表示用のイメージデータを展開する。ここで、表示用メモリ３１は、Ｒａｒｅａ，Ｇａｒｅａ，Ｂａｒｅａを有しており、Ｒ，Ｇ，Ｂ別のイメージデータがそれぞれ展開されるようになっている。ＬＣＤ制御回路３２は、この表示用メモリ３１に展開されたイメージデータに基づいて光変調素子４としてのＬＣＤを駆動制御する。即ち、これら表示用メモリ３１及びＬＣＤ制御回路３２は、上記ＣＰＵ２７と共に、上記第１の実施の形態で説明したような表示データ補正制御手段１２として機能するものであり、表示データ補正制御によるホワイトバランス調整を行なう際には、上記ＣＰＵ２７は、上記映像入力部３０によって上記表示用メモリ３１のＲａｒｅａ，Ｇａｒｅａ，Ｂａｒｅａに展開された各色のイメージデータを読み出し、必要な補正を行なった後に、再度それらＲａｒｅａ，Ｇａｒｅａ，Ｂａｒｅａに書き戻すことで、補正されたイメージデータに基づくＬＣＤ駆動制御が行なわれる。
【０２１０】
また、ＬＥＤ点灯制御回路３３は、Ｒ−ＬＥＤ１Ｒ，Ｇ−ＬＥＤ１Ｇ，Ｂ−ＬＥＤ１Ｂの点灯制御を行なうものであり、内部に、各ＬＥＤ１への供給電流量を記憶するＲ供給電流レジスタ，Ｇ供給電流レジスタ，Ｂ供給電流レジスタを有している。即ち、該ＬＥＤ点灯制御回路３３は、上記ＣＰＵ２７と共に、上記第１の実施の形態で説明したような発光量調整制御手段１３として機能するものであり、供給電流制御によるホワイトバランス調整を行なう際には、ＣＰＵ２７は、上記Ｒ供給電流レジスタ，Ｇ供給電流レジスタ，Ｂ供給電流レジスタに適切な電流値を書き込むことで、各ＬＥＤ１の発光量を制御することができる。また、ＣＰＵ２７は、上記ＬＥＤ点灯制御回路３３による各ＬＥＤ１への電流供給タイミング、継続時間を制御することで、点灯時間制御によるホワイトバランス調整を行なうこともできる。
【０２１１】
フラッシュメモリ３４は、ホワイトバランス調整を行なった際の較正情報を不揮発性に記憶するためのものである。
【０２１２】
ＴＩＭＥＲ３５は、時間計時用のタイマカウンタである。
【０２１３】
図１３は、上記操作パネル１５を示す図で、この操作パネル１５には、電源釦１５ａ、投影／終了釦１５ｂ、色調整釦１５ｃ、色調整時データの設定釦１５ｄ、調整モード釦１５ｅ、自動較正モード釦１５ｆ、等の各種操作釦が配されると共に、幾つかの操作釦についてはその近傍位置に、その操作に応じて点灯するインジケータ１５ｇ，１５ｈ，１５ｉが設けられている。
【０２１４】
なお、上記投影／終了釦１５ｂは、投影指示用の釦と投影終了指示用の釦とからなり、投影指示用釦の操作に応じた投影時に、上記インジケータ１５ｇが点灯するようになっている。
【０２１５】
上記色調整釦１５ｃは、Ｒ色に対してＧ色及びＢ色を調整するため、Ｇ用及びＢ用のアップ／ダウン釦となっている。即ち、表示面における色バランスの調整が所望の色バランスに設定可能にする色バランス目標値設定手段として機能する。また、上記色調整時データの設定釦１５ｄは、ホワイトに代わる任意の色用の設定のための釦であり、よって、Ｒ，Ｇ，Ｂそれぞれの調整用のアップ／ダウン釦を含む。これにより、Ｒ，Ｇ，Ｂそれぞれの階調値を絶対値として設定する。但し、ここでは、その設定フローや較正フロー等がホワイトの設定フローや較正フローと類似しているため、省略する。
【０２１６】
上記調整モード釦１５ｅは、通常使用モードとホワイトバランス調整モードの切替え指示用の釦であり、該調整モード釦１５ｅの操作によって、インジケータ１５ｈが点灯され、ホワイトバランス調整モードとなる。
【０２１７】
また、上記自動較正モード釦１５ｆは、通常使用モード時においてホワイトバランスを自動較正する際、明るさを優先した調整を行なって較正するか、ＬＥＤ寿命を優先した調整を行なって較正するかを選択するため、明るさ釦と寿命釦とからなっている。そして、上記インジケータ１５ｉもそれら明るさ釦及び寿命釦に対応して２個設けられており、対応する釦操作に応じて点灯するようになっている。
【０２１８】
図１４は、本第３の実施の形態に係る表示装置のメインルーチンのフローチャートを示す図で、上記操作パネル１５の電源釦１５ａのＯＮにより上記ＣＰＵ２７が起動して、ＣＰＵ２７は、ＲＯＭ２８に記憶されている制御プログラムに従って、このメインフローチャートに示すような動作を実行する。
【０２１９】
即ち、ＣＰＵ２７は、その起動時に、まず、当該表示装置の各部のイニシャライズを行なう（ステップＳ１）。このイニシャライズとしては、例えば、光変調素子４としてのＬＣＤが黒状態になるデータを上記表示用メモリ３１に書き込むことや、ＬＥＤ１を消灯すること、ＲＡＭ２９をクリアすること、等を含む。
【０２２０】
次に、操作パネル１５の操作が調整モードか否か、つまり、操作パネル１５の調整モード釦１５ｅが操作されたか否かを判別する（ステップＳ２）。即ち、調整モード釦１５ｅは、モード切替手段として機能する。そして、調整モードであれば、詳細は後述するような「ホワイトバランス調整モード」のサブルーチンを実行し（ステップＳ３）、また、調整モードでなければ、詳細は後述するような「通常使用モード」のサブルーチンを実行する（ステップＳ４）。
【０２２１】
なお、当該表示装置の工場出荷時には、「ホワイトバランス調整モード」のサブルーチンを実行して、フラッシュメモリ３４には、通常使用モードにおいて初期設定するＬＥＤ１の供給電流を記録するようにしている。
【０２２２】
また、電源ＯＮ時には、必ず、「ホワイトバランス調整モード」のサブルーチンを実行してから「通常使用モード」のサブルーチンを実行するように構成しても良い。
【０２２３】
図１５は、上記ステップＳ３の「ホワイトバランス調整モード」のサブルーチンのフローチャートを示す図である。
【０２２４】
即ち、まず、表示用メモリ３１のＲａｒｅａ，Ｇａｒｅａ，Ｂａｒｅａの全データに、白色データであるＭＡＸ値（２５５，２５５，２５５）（８ビットデータの場合）をセットする（ステップＳ３１）。これにより、光変調素子（ＬＣＤ）４が白色表示時状態に駆動される。
【０２２５】
その後、ＲＯＭ２８より各ＬＥＤ１Ｒ，１Ｂ，１Ｇの供給電流Ｉｒｉ，Ｉｇｉ，Ｉｂｉを読み出し、ＬＥＤ点灯制御回路３３のＲ供給電流レジスタ，Ｇ供給電流レジスタ，Ｂ供給電流レジスタに設定する（ステップＳ３２）。これにより、ＬＥＤ点灯制御回路３３で決まるタイミングで各ＬＥＤ１Ｒ，１Ｂ，１Ｇに電流供給され、上記光変調素子（ＬＣＤ）４が白色表示時状態に駆動されているので、スクリーン１００の表示面に、ホワイトバランスがずれた白色が表示されることになる。
【０２２６】
そこで、上記操作パネル１５の色調整釦１５ｃのユーザ操作により、Ｒに対するＧとＢの明るさの増減を設定し、その設定に相応しいＲ，Ｇ，ＢのＬＥＤの供給電流Ｉｒ１，Ｉｇ１，Ｉｂ１を算出して、ＬＥＤ点灯制御回路３３のＲ供給電流レジスタ、Ｇ供給電流レジスタ、Ｂ供給電流レジスタに設定する（ステップＳ３３）。これにより、ＬＥＤ点灯制御回路３３で決まるタイミングで各ＬＥＤ１Ｒ，１Ｂ，１Ｇに電流供給され、表示が更新される。そして、スクリーン１００の表示面でのホワイトバランスをチェックし（ステップＳ３４）、まだホワイトバランスが取れていなければ、上記ステップＳ３３に戻って、調整を続ける。なお、この表示面でのホワイトバランスのチェックは、工場出荷時においては専用の計測機を使用して行ない、一般ユーザが行なう場合はユーザの判断（好み）により行なわれるものとなる。
【０２２７】
而して、上記ステップＳ３４でのホワイトバランスチェックの結果、ＯＫとなったならば、調整モード釦１５ｅを押化し、ステップＳ３５へ進む。受光素子１４で受光量を計測し、前述したような発光タイミング、或いは、センサ位置の情報に基づいてＲ，Ｇ，Ｂを識別し、各色別の受光量Ｓｒ，Ｓｇ，Ｓｂを算出する（ステップＳ３５）。そして、フラッシュメモリ３４に、ホワイトバランスが取れた際の供給電流Ｉｒ１，Ｉｇ１，Ｉｂ１と、ホワイトバランス（ＷＢ）情報（１：Ｉｇ１／Ｉｒ１：Ｉｂ１／Ｉｒ１）と、受光量Ｓｒ，Ｓｇ，Ｓｂとを、各々、基準供給電流、基準ＷＢ情報、基準受光量として保存した後（ステップＳ３６）、該サブルーチンを終えてメインルーチンへ戻る。
【０２２８】
図１６は、上記ステップＳ４の「通常使用モード」のサブルーチンのフローチャートを示す図である。これは、起動時を含めて常に較正する場合を示している。
【０２２９】
この「通常使用モード」のサブルーチンでは、まず、「基準表示状態に設定」のサブルーチンを実行して（ステップＳ４０１）、上記ＬＥＤ点灯回路３３を基準表示状態にする。
【０２３０】
即ち、図１７に示すように、該「基準表示状態に設定」のサブルーチンでは、まず、上記フラッシュメモリ３４より、上記「ホワイトバランス調整モード」のサブルーチンによって保存された上記基準供給電流Ｉｒ１，Ｉｇ１，Ｉｂ１と、基準ＷＢ情報（１：Ｉｇ１／Ｉｒ１：Ｉｂ１／Ｉｒ１）と、基準受光量Ｓｒ，Ｓｇ，Ｓｂとを読み出す（ステップＳ４０１Ａ）。そして、その読み出した基準供給電流Ｉｒ１，Ｉｇ１，Ｉｂ１を各々ＬＥＤ点灯制御回路３３のＲ供給電流レジスタ、Ｇ供給電流レジスタ、Ｂ供給電流レジスタに設定する（ステップＳ４０１Ｂ）。これにより、ＬＥＤ点灯制御回路３３で決まるタイミングで、設定された電流が各ＬＥＤ１Ｒ，１Ｂ，１Ｇに供給されることとなる。そしてその後、該サブルーチンを終えて上記「通常使用モード」のサブルーチンへ戻る。
【０２３１】
この「基準表示状態に設定」のサブルーチンから戻ったならば、次に、操作パネルの投影釦の押下をチェックし（ステップＳ４０５）、押下するまでチェックを繰り返し、押下後、次ステップに進む。次に、入力されるカラー映像信号に従ったＲ，Ｇ，Ｂの各イメージデータを表示用メモリ３１のＲａｒｅａ，Ｇａｒｅａ，Ｂａｒｅａに保存する（ステップＳ４０２）。この表示用メモリ３１に保存されたイメージデータは、ＬＣＤ制御回路３２によりＲ，Ｇ，Ｂの順番と一定の周期で光変調素子４としてのＬＣＤに供給され、スクリーン１００に投影表示される。
【０２３２】
そしてその後、「ホワイトバランス補正」のサブルーチンを実行する（ステップＳ４０３）。これにより、受光素子１４で受光量を計測し、それに応じたホワイトバランス補正が施される。
【０２３３】
即ち、図１８に示すように、該「ホワイトバランス補正」のサブルーチンでは、まず、受光素子１４での受光量を計測し、ＬＥＤ点灯制御回路３３で決まるタイミング情報に基づいてＲ，Ｇ，Ｂを識別し、各受光量Ｓｄｒ２，Ｓｄｇ２，Ｓｄｂ２を算出することによって、測定ＷＢ情報（１：Ｓｄｇ２／Ｓｄｒ２，Ｓｄｂ２／Ｓｄｒ２）を算出する（ステップＳ４０３Ａ）。そして、上記「基準表示状態に設定」のサブルーチンで上記フラッシュメモリ３４から読み出した基準ＷＢ情報（１：Ｉｇ１／Ｉｒ１：Ｉｂ１／Ｉｒ１）に対する上記測定ＷＢ情報（１：Ｓｄｇ２／Ｓｄｒ２，Ｓｄｂ２／Ｓｄｒ２）のズレを算出し、供給電流Ｉｒ１，Ｉｇ１，Ｉｂ１をそのズレ分を補正する供給電流Ｉｒ２，Ｉｇ２，Ｉｂ２を算出して、各々ＬＥＤ点灯制御回路３３のＲ供給電流レジスタ、Ｇ供給電流レジスタ、Ｂ供給電流レジスタに設定する（ステップＳ４０３Ｂ）。そしてその後、該サブルーチンを終えて上記「通常使用モード」のサブルーチンへ戻る。
【０２３４】
この「ホワイトバランス補正」のサブルーチンから戻ったならば、即ち、ホワイトバランスが補正されたならば、次に、操作パネル１５の投影／終了釦１５ｂの投影終了指示用の釦が押下されたか否かを判別する（ステップＳ４０４）。そして、それが押下されていなければ、上記ステップＳ４０２に戻る。これにより、ホワイトバランスが補正された状態で再表示が行なわれることとなる。なお、実際には、入力されるカラー映像信号に変化が無ければ、上記ステップＳ４０２において表示用メモリ３１への保存を実行する必要はなく、単に、上記表示用メモリ３１に保存されているイメージデータを、ＬＣＤ制御回路３２によりＲ，Ｇ，Ｂの順番と一定の周期で光変調素子４としてのＬＣＤに供給するだけで良い。
【０２３５】
そして、上記ステップＳ４０４において、投影終了指示用の釦が押下されたと判別されたときには、非表示状態に設定するために、Ｒ供給電流レジスタ，Ｇ供給電流レジスタ，Ｂ供給電流レジスタに「０」を設定し（ステップＳ４０６）、該「通常使用モード」のサブルーチンを終えてメインルーチンへ戻る。勿論、サブルーチンを終了せずに、ステップＳ４０５に戻っても良い。
【０２３６】
図１９は、上記ステップＳ４の「通常使用モード」のサブルーチンの変形例のフローチャートを示す図である。この変形例は、１０分毎に較正を行なう、即ち、ＴＩＭＥＲ３５をモード切替手段として利用すると共に、補正不可時にユーザに警告を行なうようにしたものである。
【０２３７】
なお、この場合は、メインルーチンのステップＳ１でのイニシャライズにおいて、ＴＩＭＥＲ３５をスタートさせるものとする。
【０２３８】
即ち、この変形例では、まず、前述したような「基準表示状態に設定」のサブルーチンを実行して（ステップＳ４０１）、上記ＬＥＤ点灯回路３３を基準表示状態にする。またここで、ＴＩＭＥＲ３５をリセット／スタートする。次に、操作パネルの投影釦の押下を待ち（ステップＳ４０５）、押下後、入力されるカラー映像信号に従ったＲ，Ｇ，Ｂの各イメージデータを表示用メモリ３１のＲａｒｅａ，Ｇａｒｅａ，Ｂａｒｅａに保存する（ステップＳ４０２）。この表示用メモリ３１に保存されたイメージデータは、ＬＣＤ制御回路３２によりＲ，Ｇ，Ｂの順番と一定の周期で光変調素子４としてのＬＣＤに供給され、スクリーン１００に投影表示される。
【０２３９】
そしてその後、上記ＴＩＭＥＲ３５で計時された時間が１０分を越えたか否かを判別する（ステップＳ４１１）。ここで、まだ１０分を越えていなければ、上記ステップＳ４０２に戻る。なお、こうしてステップＳ４０２に戻った場合、実際には、入力されるカラー映像信号に変化が無ければ、表示用メモリ３１への保存を実行する必要はなく、単に、上記表示用メモリ３１に保存されているイメージデータを、ＬＣＤ制御回路３２によりＲ，Ｇ，Ｂの順番と一定の周期で光変調素子４としてのＬＣＤに供給するだけで良い。
【０２４０】
これに対して、上記ステップＳ４１１において、上記ＴＩＭＥＲ３５で計時された時間が１０分を越えたと判別された場合には、受光素子１４で受光量を計測し、それに応じてホワイトバランス補正が可能かをチェックする（ステップＳ４１２）。このチェックは、ＬＥＤ１の供給電流の調整、或いは、表示データの調整の限界値まで既に達してしまったか否かを判別するものである。この判別は、これに限定するものではなく、使用し難い等の設定値であっても良い。
【０２４１】
そして、まだ補正可能である場合には（ステップＳ４１３）、前述したような「ホワイトバランス補正」のサブルーチンを実行する（ステップＳ４０３）。これにより、受光素子１４で受光量を計測し、それに応じたホワイトバランス補正が施される。
【０２４２】
この「ホワイトバランス補正」のサブルーチン終了後、即ち、ホワイトバランスが補正されたならば、次に、操作パネル１５の投影／終了釦１５ｂの投影終了指示用の釦が押下されたか否かを判別する（ステップＳ４０４）。そして、それが押下されていなければ、上記ＴＩＭＥＲ３５をリセット／スタートすることで新たな１０分の計時を開始させた後（ステップＳ４１４）、上記ステップＳ４０２に戻る。これにより、ホワイトバランスが補正された状態で再表示が行なわれることとなる。なお、実際には、入力されるカラー映像信号に変化が無ければ、上記ステップＳ４０２において表示用メモリ３１への保存を実行する必要はなく、単に、上記表示用メモリ３１に保存されているイメージデータを、ＬＣＤ制御回路３２によりＲ，Ｇ，Ｂの順番と一定の周期で光変調素子４としてのＬＣＤに供給するだけで良い。
【０２４３】
そして、上記ステップＳ４０４において、投影終了指示用の釦が押下されたと判別されたときには、ステップＳ４０６で非表示状態にし、該「通常使用モード」のサブルーチンを終えてメインルーチンへ戻る。
【０２４４】
また、上記ステップ４１２でのチェックの結果、ホワイトバランス補正が不可能であると判別した場合には（ステップＳ４１３）、所定時間、警告表示を行なってから（ステップＳ４１５）、非表示状態に設定し（ステップＳ４０６）、該「通常使用モード」のサブルーチンを終えてメインルーチンへ戻る。なお、この警告表示は、例えば、上記表示用メモリ３１に、「光源を交換してください」等のテキスト情報を可読にして書き込むことで、スクリーン１００に投影表示されるものである。勿論、この警告は、操作パネル１５に警告インジケータを設けたり、ＬＣＤディスプレイ等を設け、それらによってユーザに警告告知するようにしても良いし、スピーカ等を設けて音により告知するようにしても良い。
【０２４５】
図２０は、上記ステップＳ４の「通常使用モード」のサブルーチンの他の変形例のフローチャートを示す図である。この変形例は、温度変化に応じて較正を行なう、即ち、温度センサ２５をモード切替手段として利用するようにした場合を示している。
【０２４６】
即ち、この変形例では、まず、上記温度センサ２５によって起動時の温度を測定し、その測定温度を較正時温度Ｋ０としてメモリ（ＲＡＭ２９）に保存する（ステップＳ４２１）。
【０２４７】
次に、前述したような「基準表示状態に設定」のサブルーチンを実行して（ステップＳ４０１）、上記ＬＥＤ点灯回路３３を基準表示状態にする。この「基準表示状態に設定」のサブルーチン終了後、操作パネルの投影釦の押下を待ち（ステップＳ４０５）、その後、入力されるカラー映像信号に従ったＲ，Ｇ，Ｂの各イメージデータを表示用メモリ３１のＲａｒｅａ，Ｇａｒｅａ，Ｂａｒｅａに保存する（ステップＳ４０２）。この表示用メモリ３１に保存されたイメージデータは、ＬＣＤ制御回路３２によりＲ，Ｇ，Ｂの順番と一定の周期で光変調素子４としてのＬＣＤに供給され、スクリーン１００に投影表示される。
【０２４８】
そしてその後、操作パネル１５の投影／終了釦１５ｂの投影終了指示用の釦が押下されたか否かを判別する（ステップＳ４０４）。
【０２４９】
ここで、投影終了指示用釦が押下されていなければ、上記温度センサ２５により温度Ｋ１を再測定し、この再計測温度Ｋ１と上記ＲＡＭ２９に保存しておいた較正時温度Ｋ０との差、即ちＫ１−Ｋ０を算出する（ステップＳ４２２）。そして、その算出結果の絶対値、即ち｜Ｋ１−Ｋ０｜が規定値ΔＫａを越えているか否かを判別する（ステップＳ４２３）。
【０２５０】
このとき、上記｜Ｋ１−Ｋ０｜が規定値ΔＫａ以下であれば、上記ステップＳ４０２に戻る。なお、こうしてステップＳ４０２に戻った際、実際には、入力されるカラー映像信号に変化が無ければ、表示用メモリ３１への保存を実行する必要はなく、単に、上記表示用メモリ３１に保存されているイメージデータを、ＬＣＤ制御回路３２によりＲ，Ｇ，Ｂの順番と一定の周期で光変調素子４としてのＬＣＤに供給するだけで良い。
【０２５１】
これに対して、上記ステップＳ４２３において、上記｜Ｋ１−Ｋ０｜が規定値ΔＫａを越えたと判別した場合には、前述したような「ホワイトバランス補正」のサブルーチンを実行する（ステップＳ４０３）。これにより、受光素子１４で受光量を計測し、それに応じたホワイトバランス補正が施される。そして、この「ホワイトバランス補正」のサブルーチン終了後、即ち、ホワイトバランスが補正されたならば、上記ステップＳ４０２に戻ることで、ホワイトバランスが補正された状態で再表示が行なわれることとなる。なお、実際には、入力されるカラー映像信号に変化が無ければ、上記ステップＳ４０２において表示用メモリ３１への保存を実行する必要はなく、単に、上記表示用メモリ３１に保存されているイメージデータを、ＬＣＤ制御回路３２によりＲ，Ｇ，Ｂの順番と一定の周期で光変調素子４としてのＬＣＤに供給するだけで良い。
【０２５２】
そして、上記ステップＳ４０４において、投影終了指示用の釦が押下されたと判別されたときには、非表示状態に設定し（ステップＳ４０６）、該「通常使用モード」のサブルーチンを終えてメインルーチンへ戻る。
【０２５３】
図２１は、上記ステップＳ４の「通常使用モード」のサブルーチンの別の変形例のフローチャートを示す図である。この変形例は、表示総時間に応じて較正を行なうとようにした例である。
【０２５４】
なお、この場合は、該表示装置の工場出荷時に、上記フラッシュメモリ３４に、表示総時間Ｔａｌｌ＝０が書き込まれていると共に、ＲＯＭ２８に図２２に示すような表Ｔが記憶されているものとする。
【０２５５】
即ち、この変形例では、まず、上記フラッシュメモリ３４より上記表示総時間Ｔａｌｌを読み出してメモリ（ＲＡＭ２９）に保存すると共に、上記ＲＯＭ２８より上記表Ｔを読み出して、上記表示総時間Ｔａｌｌに対応した表Ｔのランクをメモリ（ＲＡＭ２９）に保存する（ステップＳ４３１）。そして、上記ＴＩＭＥＲ３５即ちタイマカウンタΔｔを一旦０にリセットした上で、該タイマカウンタをスタートさせる（ステップＳ４３２）。
【０２５６】
次に、前述したような「基準表示状態に設定」のサブルーチンを実行して（ステップＳ４０１）、上記ＬＥＤ点灯回路３３を基準表示状態にする。この「基準表示状態に設定」のサブルーチン終了後、操作パネルの投影釦の押下を待ち（ステップＳ４０５）、入力されるカラー映像信号に従ったＲ，Ｇ，Ｂの各イメージデータを表示用メモリ３１のＲａｒｅａ，Ｇａｒｅａ，Ｂａｒｅａに保存する（ステップＳ４０２）。この表示用メモリ３１に保存されたイメージデータは、ＬＣＤ制御回路３２によりＲ，Ｇ，Ｂの順番と一定の周期で光変調素子４としてのＬＣＤに供給され、スクリーン１００に投影表示される。
【０２５７】
そしてその後、操作パネル１５の投影／終了釦１５ｂの投影終了指示用の釦が押下されたか否かを判別する（ステップＳ４０４）。
【０２５８】
ここで、投影終了指示用釦が押下されていなければ、上記タイマカウンタΔｔを読み出し、上記読み出したタイマカウンタΔｔの値と該「通常使用モード」のサブルーチン開始時に上記ステップＳ４３１でメモリに保存した表示総時間Ｔａｌｌの値との和（Ｔａｌｌ＋Δｔ）を算出して、上記メモリに保存してある上記表Ｔからその算出した時間に対応したランクを検出する（ステップＳ４３３）。そして、この検出したランクと該「通常使用モード」のサブルーチン開始時に上記ステップＳ４３１でメモリに保存したランクとが一致するか否かを判別する（ステップＳ４３４）。ここで、両者が一致する場合には、上記ステップＳ４０２に戻る。なお、こうしてステップＳ４０２に戻った際、実際には、入力されるカラー映像信号に変化が無ければ、表示用メモリ３１への保存を実行する必要はなく、単に、上記表示用メモリ３１に保存されているイメージデータを、ＬＣＤ制御回路３２によりＲ，Ｇ，Ｂの順番と一定の周期で光変調素子４としてのＬＣＤに供給するだけで良い。
【０２５９】
そして、上記ステップＳ４０４において、投影終了指示用の釦が押下されたと判別されたときには、上記タイマカウンタΔｔを読み出し、その読み出したタイマカウンタΔｔの値と該「通常使用モード」のサブルーチン開始時に上記ステップＳ４３１でメモリに保存した表示総時間Ｔａｌｌの値との和（Ｔａｌｌ＋Δｔ）を算出して、得られた時間を、新たな表示総時間Ｔａｌｌとして、フラッシュメモリ３４に保存してから（ステップＳ４３５）、非表示状態に設定し（ステップＳ４０６）、該「通常使用モード」のサブルーチンを終えてメインルーチンへ戻る。
【０２６０】
従って、次回の該「通常使用モード」の実行時には、上記ステップＳ４３１でフラッシュメモリ３４から読み出されてメモリに保存される表示総時間Ｔａｌｌは、このステップＳ４３５で更新された時間の値となる。
【０２６１】
一方、上記ステップＳ４３４において、検出したランクとメモリに保存したランクとが一致しないと判別された場合には、前述したような「ホワイトバランス補正」のサブルーチンを実行する（ステップＳ４０３）。これにより、受光素子１４で受光量を計測し、それに応じたホワイトバランス補正が施される。
【０２６２】
この「ホワイトバランス補正」のサブルーチン終了後、即ち、ホワイトバランスが補正されたならば、次に、上記検出したランクが“Ｄ”であるか否かを判別する（ステップＳ４３６）。ここで、そうでなければ、上記ステップＳ４０２に戻る。なお、こうしてステップＳ４０２に戻った際にも、実際には、入力されるカラー映像信号に変化が無ければ、表示用メモリ３１への保存を実行する必要はなく、単に、上記表示用メモリ３１に保存されているイメージデータを、ＬＣＤ制御回路３２によりＲ，Ｇ，Ｂの順番と一定の周期で光変調素子４としてのＬＣＤに供給するだけで良い。
【０２６３】
これに対して、検出したランクが“Ｄ”であった場合には（ステップＳ４３６）、警告表示を行なう（ステップＳ４３７）。この警告表示は、表示用メモリ３１にカラー映像信号に従って書き込む制御を一旦停止し、表示用メモリ３１に「光源を交換してください」等のテキスト情報を可読にして書き込むことによって、スクリーン１００にその警告文を投影表示する。そして、５秒後に、カラー映像信号に従って書き込む制御を再度開始して（ステップＳ４３８）、上記ステップＳ４０２に戻る。
【０２６４】
なお、上記警告としては、操作パネル１５に警告インジケータを設けたり、ＬＣＤディスプレイ等を設け、それらによってユーザに警告告知するようにしても良いし、スピーカ等を設けて音により告知するようにしても良いことは勿論である。
【０２６５】
図２３は、上記ステップＳ４の「通常使用モード」のサブルーチンの更に別の変形例のフローチャートを示す図である。この変形例は、ホワイトバランス補正の明るさ／寿命の優先モードに応じて較正を行なうようにした例である。
【０２６６】
即ち、この変形例では、まず、操作パネル１５の自動較正モード釦１５ｆの操作状態に従って、ホワイトバランス補正の「明るさ」優先モードと「寿命」優先モードの何れかに設定する（ステップＳ４４１）。そして、前述したような「基準表示状態に設定」のサブルーチンを実行して（ステップＳ４０１）、上記ＬＥＤ点灯回路３３を基準表示状態にする。次に、操作パネルの投影釦の押下を待ち（ステップＳ４０５）、入力されるカラー映像信号に従ったＲ，Ｇ，Ｂの各イメージデータを表示用メモリ３１のＲａｒｅａ，Ｇａｒｅａ，Ｂａｒｅａに保存する（ステップＳ４０２）。この表示用メモリ３１に保存されたイメージデータは、ＬＣＤ制御回路３２によりＲ，Ｇ，Ｂの順番と一定の周期で光変調素子４としてのＬＣＤに供給され、スクリーン１００に投影表示される。
【０２６７】
そしてその後、現在の優先モードが、「明るさ」優先モードであるのか、「寿命」優先モードであるのかを判別する（ステップＳ４４２）。
【０２６８】
ここで、「明るさ」優先モードであれば、「明るさ優先でホワイトバランス補正」のサブルーチンを実行する（ステップＳ４４３）。この「明るさ優先でホワイトバランス補正」のサブルーチンは、前述した「ホワイトバランス補正」のサブルーチンにおけるステップＳ４０３Ｂで、ズレ分を補正する供給電流Ｉｒ２，Ｉｇ２，Ｉｂ２を算出する際に、供給電流を増加するような値を算出することを除いては、上記「ホワイトバランス補正」のサブルーチンと同様である。即ち、ホワイトバランス補正の結果、ＬＥＤ１は、工場出荷時に対するＬＥＤの発光効率劣化に伴ってホワイトバランスの取れた状態で、供給電流を増加するよう制御されることとなる。つまり、明るいＬＥＤに別のＬＥＤの発光量を合わせていくことでホワイトバランスを取ることにより、表示の明るさを維持するものである。
【０２６９】
一方、「寿命」優先モードであれば（ステップＳ４４２）、「寿命優先でホワイトバランス補正」のサブルーチンを実行する（ステップＳ４４４）。この「寿命優先でホワイトバランス補正」のサブルーチンは、前述した「ホワイトバランス補正」のサブルーチンにおけるステップＳ４０３Ｂで、ズレ分を補正する供給電流Ｉｒ２，Ｉｇ２，Ｉｂ２を算出する際に、供給電流を減少するような値を算出することを除いては、上記「ホワイトバランス補正」のサブルーチンと同様である。即ち、ホワイトバランス補正の結果、ＬＥＤ１は、工場出荷時に対するＬＥＤの発光効率劣化に伴ってホワイトバランスの取れた状態で、供給電流を低減するよう制御されることとなる。つまり、暗いＬＥＤに別のＬＥＤの発光量を合わせていくことでホワイトバランスを取ることにより、ＬＥＤの寿命を延ばすものである。
【０２７０】
そして、これら「明るさ優先でホワイトバランス補正」のサブルーチン又は「寿命優先でホワイトバランス補正」のサブルーチンから戻ったならば、即ち、ホワイトバランスが補正されたならば、次に、操作パネル１５の投影／終了釦１５ｂの投影終了指示用の釦が押下されたか否かを判別する（ステップＳ４０４）。そして、それが押下されていなければ、上記ステップＳ４０２に戻る。これにより、ホワイトバランスが補正された状態で再表示が行なわれることとなる。なお、この際、実際には、入力されるカラー映像信号に変化が無ければ、上記ステップＳ４０２において表示用メモリ３１への保存を実行する必要はなく、単に、上記表示用メモリ３１に保存されているイメージデータを、ＬＣＤ制御回路３２によりＲ，Ｇ，Ｂの順番と一定の周期で光変調素子４としてのＬＣＤに供給するだけで良い。
【０２７１】
そして、上記ステップＳ４０４において、投影終了指示用の釦が押下されたと判別されたときには、非表示状態に設定し（ステップＳ４０６）、該「通常使用モード」のサブルーチンを終えてメインルーチンへ戻る。
【０２７２】
［第４の実施の形態］
次に、本発明の第４の実施の形態を説明する。
【０２７３】
図２４はその構成を示す図であり、本実施の形態においては、各ＬＥＤ１を実装するＬＥＤ基板２４を一体化し、そのＬＥＤ基板２４のＬＥＤ実装面と反対側の面（裏面）に温度センサ２５を配置すると共に、更に、該裏面にフラッシュメモリ３４を搭載し、これらＬＥＤ１、ＬＥＤ基板２４、温度センサ２５、及びフラッシュメモリ３４を交換可能な形態の光源装置３６として、表示装置に組み込めるようにしたものである。
【０２７４】
即ち、これは、光源であるＬＥＤ１の劣化や故障に伴って交換する際に、簡単に交換可能にする為に、ＬＥＤ基板２４単位で交換するようにしたものである。そして、その交換部品であるＬＥＤ基板２４には、Ｒ，Ｇ，Ｂ各ＬＥＤ１の他に、そのＲ，Ｇ，Ｂの各ＬＥＤ１で照明した際にホワイトバランスを調整することなくすぐに使用できるようにするため、当該交換部品である上記ＬＥＤ基板２４の各ＬＥＤ１に関する較正情報を記録したフラッシュメモリ３４を一緒にＬＥＤ基板２４上に搭載している。つまり、ＬＥＤ基板２４には、Ｒ，Ｇ，Ｂの各ＬＥＤ１と、その較正情報を記録したフラッシュメモリ３４とを搭載し、ＬＥＤ基板２４ごと交換した際に、あらためて較正することなく、色バランスの取れた表示をすぐに行なうことができる。
【０２７５】
なお、ＬＥＤ基板２４の配線は、コネクタなどで、簡単に取り外し可能にすると良い。
【０２７６】
また、交換部品としての光源装置３６には、更に、テーパーロッド５を含めるようにしても良い。また更に、受光素子１４も含むよう構成しても良い。
【０２７７】
なお、較正情報を記録した記録媒体としては、上記フラッシュメモリ３４に限定されるものではなく、例えば光学的に情報を読み取ることが可能なバーコード等のコードに較正情報を記録したラベルとし、該ラベルをＬＥＤ基板２４に貼付する形態であっても良いし、コードを直接ＬＥＤ基板２４に印刷することで、ＬＥＤ基板２４自体を記録媒体とすることもできる。勿論、その場合には、表示装置は、そのコードの読取機構を備える必要がある。
【０２７８】
［第５の実施の形態］
次に、図２５を参照して、本発明の第５の実施の形態を説明する。
【０２７９】
本第５の実施の形態では、複数の受光素子をマトリックスに配置したモノクロＣＣＤ（撮像素子）３７を使用するものである。
【０２８０】
即ち、表示面であるスクリーン１００面の表示領域の光を集光可能な光学手段である撮像レンズ２３を介して、ＣＣＤ３７で表示面を撮像して、Ｒ，Ｇ，Ｂの順次表示のタイミングに同期して撮像データを取り込むことでＲ，Ｇ，Ｂの発光を識別して、光変調素子４によって光変調された各色の光を検出するようになっている。
【０２８１】
そのため、本第５の実施の形態では、色バランス調整制御手段１１は、前述したような表示データ補正制御手段（表示データ制御回路）１２及び発光量調整制御手段（発光量調整制御回路）１３に加えて、上記ＣＣＤ３７を駆動するＣＣＤ駆動回路３８と、ＣＣＤ３７からの撮像データを取り込むＣＣＤ撮像回路３９と、それらＣＣＤ駆動回路３８、ＣＣＤ撮像回路３９、及び発光量調整制御手段（発光量調整制御回路）１３の動作タイミングを制御するタイミング制御回路４０と、を備えている。
【０２８２】
ここで、映像信号の切り替りタイミングにおいて、表示データ補正制御手段（表示データ制御回路）１２では、カラー映像信号における画像データの変化を検出して、タイミング制御回路４０に所定の較正開始信号としてのキャリブレーション開始信号ＣＡＬ１を出力するもので、このキャリブレーション開始信号ＣＡＬ１に従ってタイミング制御回路４０は、ＣＣＤ駆動回路３８にＣＡＬ２信号を出力し、また、ＣＣＤ撮像回路３９にＣＡＬ３信号を出力する。また、その際、表示データ補正制御手段（表示データ制御回路）１２は、光変調素子４に白画像データを１フレーム分供給することでスクリーン１００に白画像を表示するようにする。而して、その白画像データの表示に同期して、ＣＣＤ３７によりスクリーン表示面での表示画像が撮像されることになる。
【０２８３】
これを、図２６のタイミングチャートを参照して、より詳しく説明する。
【０２８４】
即ち、表示データ補正制御手段（表示データ制御回路）１２は、カラー映像信号における画像１と画像２が一致しないことを検出すると、ＣＡＬ１信号をタイミング制御回路４０に対して出力する。また、それと共に、光変調素子４で光変調するイメージデータが全画素においてＲ，Ｇ，Ｂの３つのフィールドに渡って「２５５」（８ビットのイメージデータに基づいて変調する光変調素子の場合）を示すようにすることで、スクリーン１００表示面において各フィールド別にＲ，Ｇ，Ｂの最大光量が投影される。そして、発光量調整制御手段（発光量調整制御回路）１３は、その投影画像をＣＣＤ３７で撮像した結果を、Ｒ，Ｇ，Ｂの各フィールドの点灯制御信号を１フィールド分ディレイさせた色別ＣＣＤデータ取得タイミング信号に対応して取り込み、ＣＣＤ出力の全画素の総和Ｓｒ、Ｓｇ、Ｓｂを算出して、その算出結果より、スクリーン１００表示面においてホワイトバランスの取れた表示が可能なような供給電流をＲ，Ｇ，ＢそれぞれのＬＥＤ１Ｒ，１Ｇ，１Ｂに供給するように制御する。
【０２８５】
勿論、このようにＬＥＤ１の供給電流を制御する代わりに、ＣＣＤ撮像回路３９の出力を表示データ補正制御手段（表示データ制御回路）１２に供給することで、光変調素子４に供給するイメージデータを調整するようにしても良い。
【０２８６】
また、この図２６のタイミングチャートでは、カラー映像信号における画像の切り変わり目に白画像を挿入し、その白画像においてＣＣＤ３７でスクリーン１００表示面の表示画像を撮像したが、変形例として、上記白画像を挿入することなく、入力されるカラー映像信号に従ってスクリーン１００表示面に表示を行ないつつ、そのカラー映像信号中に含まれる表示白画素（２５５、２５５、２５５）を検出して、その表示白画素に対応したスクリーン１００表示面上の位置を撮像した撮像画像上の受光画素の受光量を検出し、その受光量に従って発光量調整制御手段（発光量調整制御回路）１３又は表示データ補正制御手段（表示データ制御回路）１２において、色バランス補正制御をすることが考えられる。
【０２８７】
或いは、上記のようにスクリーン１００表示面全体にわたった白画像を挿入するのではなく、表示面上の予め決められた所定位置、例えば右下端の一部分を白画像に変換して表示することで、基本的な映像を損なうこと無く表示し、その一部分に表示された白画像を検出して色バランス補正制御を行なうようにしても良い。
【０２８８】
［第６の実施の形態］
次に、本発明の第６の実施の形態を説明する。
【０２８９】
図２７は、本発明の第６の実施の形態に係る表示装置の構成を示す機能構成図である。
【０２９０】
本実施の形態においては、円板状のＬＥＤ基板２４上にＲ，Ｇ，Ｂ各色のＬＥＤ１をそれぞれ複数個円周上に配設し、これらＬＥＤ１に対向配置させた２個のテーパーロッド５−１，５−２を、回転モータ４２により上記ＬＥＤ１に対し所定の速度で相対的に移動させるように構成した照明ユニットを使用するものである。
【０２９１】
即ち、ＬＥＤ１は、図２８に示すように、各色２個ずつを１組として、各組が対向するよう、Ｒ−ＬＥＤ（Ｒａ１，Ｒａ２，Ｒｂ１，Ｒｂ２）１Ｒ、Ｇ−ＬＥＤ（Ｇａ１，Ｇａ２，Ｇｂ１，Ｇｂ２）１Ｇ、Ｂ−ＬＥＤ（Ｂａ１，Ｂａ２，Ｂｂ１，Ｂｂ２）１Ｂが、各組の間にダミーＬＥＤ（Ｄａ１〜Ｄａ３，Ｄｂ１〜Ｄｂ３）を挟んで配列されている。なお、図２８では、ＬＥＤ１それぞれの発光色の違いをハッチングを異ならせることで表わしており、従って、この図において、ハッチングして示す部分は断面を表わすものではない。
【０２９２】
そして、２本のテーパーロッド５−１，５−２が取り付けられた回動可能な保持具であるロッドホルダ４１を回転モータ４２で回転し、その回転に合わせてＬＥＤ１を順次点灯する。即ち、ロッドホルダ４１の回転によりテーパーロッド５−１の位置がＲ−ＬＥＤ（Ｒａ１，Ｒａ２）１Ｒに対向する位置にきた時刻Ｔ１においては、他方のテーパーロッド５−２は、反対側の上記Ｒ−ＬＥＤ（Ｒｂ１，Ｒｂ２）１Ｒに対向する位置となっており、このとき、これらＲ−ＬＥＤ（Ｒａ１，Ｒａ２，Ｒｂ１，Ｒｂ２）１Ｒが点灯される。そして、モータ４２により更にロッドホルダ４１が回転されてテーパーロッド５−１，５−２がＧ−ＬＥＤ（Ｇａ１，Ｇａ２，Ｇｂ１，Ｇｂ２）１Ｇに対向する位置となったならば（時刻Ｔ２）、それらＧ−ＬＥＤ（Ｇａ１，Ｇａ２，Ｇｂ１，Ｇｂ２）１Ｇを点灯するものである。
【０２９３】
これらテーパーロッド５−１，５−２から出射される光は、導光板１９を透過して、重ね合わせレンズ３に入射し、光変調素子４としての表示素子に照明される。そして、この光変調素子４から出射される光は、投影レンズ１０によって、スクリーン１００に投影される。
【０２９４】
また、前述の実施の形態で説明したように、導光板１９に設けた切り欠き２０によってテーパーロッド５からの出射光の一部の光路を折り曲げ、受光素子１４である光量モニタに導光されて、その受光素子１４で光量が検出されるようになっている。
【０２９５】
更に、上記ロッドホルダ４１の側面近傍位置に、該ロッドホルダ４１の回転位置を検出するための回転センサ４３が配されている。この回転センサ４３としては、例えばフォトリフレクタを用い、上記ロッドホルダ４１の側面に貼付された反射板で反射された光の検出により上記ロッドホルダ４１の１回転を検出するようなものが利用できる。
【０２９６】
この回転センサ４３による回転位置検出信号は、モータ駆動回路４４及び色バランス調整制御手段１１の発光タイミング制御回路４５に入力される。
【０２９７】
ここで、上記モータ駆動回路４４は、上記回転モータ４２を駆動するものであり、上記回転モータ４２と共に、上記テーパーロッド５−１，５−２を回転可能に駆動する移動手段を構成する。即ち、上記モータ駆動回路４４は、操作パネル１５のユーザによるボタン操作等に従って動作開始信号が入力されると、上記回転モータ４２の回転を開始させ、上記回転センサ４３によるロッドホルダ４１の回転位置検出結果に従って上記回転モータ４２が一定速度で回転するよう駆動制御する。
【０２９８】
また、上記発光タイミング制御回路４５は、上記受光素子１４、回転センサ４３、及び上記受光素子１４による光量検出結果が入力されるＬＥＤ駆動回路（発光量調整制御手段１３）と共に、上記複数のＬＥＤ１の発光タイミングを制御する光選択制御手段を構成するものである。
【０２９９】
即ち、上記発光タイミング制御回路４５は、上記回転センサ４３による上記ロッドホルダ４１の回転位置検出に基づいてタイミング信号を発生して、上記ＬＥＤ駆動回路（発光量調整制御手段１３）に入力する。このＬＥＤ駆動回路（発光量調整制御手段１３）は、上記ＬＥＤ１を点灯駆動する点灯手段として機能するものであり、上記発光タイミング制御回路４５から入力されたタイミング信号に従って、上記ＬＥＤ基板２４上に実装された各ＬＥＤ１を駆動することで、上記テーパーロッド５−１，５−２の入射面位置となったＬＥＤ１を順次点灯させるよう制御する。
【０３００】
なお、このときのＬＥＤ１の供給電流は、受光素子１４の受光量に従って調整される。即ち、図２９に示すように、１つのテーパーロッド５に対して２つのＬＥＤ１が同時に発光するように制御するもので、回転に同期して整列されたＬＥＤが１パルスの半パルス分位相をずらして点灯するようにし、照明ムラを抑制するようにしている。また、２つのテーパーロッド５−１，５−２に対して同色のＬＥＤ１が発光するようにするもので、そのため、時間Ｔ１，Ｔ２で示した場合では、同時に４個のＬＥＤが同時に点灯するものである。この際、複数のＬＥＤ１の光が順次切り替って導光板１９に入射されるために、受光素子１４にも順次入射されるので、同時発光するＬＥＤ毎の受光量を測定することができ、それによって、１フレームにおけるＲ，Ｇ，Ｂ各々の総光量を算出することができ、その算出結果を使って色バランス調整制御手段１１は、色バランスを調整制御するものである。
【０３０１】
このように、複数のＬＥＤ１を順次切り替えパルス発光させ、放射光を取込むテーパーロッド５−１，５−２との相対位置関係をＬＥＤ１の発光切り替えに併せて選択しながら変移させることによって、それぞれテーパーロッド５−１，５−２が１回転する過程で赤（Ｒ）色、緑（Ｇ）色、青（Ｂ）色、赤（Ｒ）色、緑（Ｇ）色、青（Ｂ）色の順に、発光する光の色が切り替わり、実効的に高輝度の３色のＬＥＤが得られ、大光量の平行度の向上した３色の光がテーパーロッド５−１，５−２の出射端面から得られることになる。なお、発光色の順序は上記に限定されるものではなく、適宜設定されれば良い。
【０３０２】
また、前述したように、表示データ補正制御回路（表示データ補正制御手段１２）によって、受光素子１４の受光量に従って表示データの補正制御を行なうことでホワイトバランスをとっても良いことは勿論である。
【０３０３】
一方、通常表示状態ではない調整モードにおいては、図３０に示すように、回転に伴って、テーパーロッド５の一方が取り込める光を発光可能なＬＥＤ１を１個点灯するように点灯制御する。そこで、通常通り回転モータ４２を駆動しロッドホルダ４１を回転させ、１つのテーパーロッド５に対する１つのＬＥＤ１を回転に同期した所定のタイミングで発光させ、受光素子１４からの受光信号を２回転分をモニタするようにする。そして、そのモニタ結果を解析して、その点灯制御のタイミングに応じて受光素子１４の受光信号が出力されることを利用して、各ＬＥＤ１の発光量を識別することができる。また、その結果より、表示時の１フレームにおけるＲ，Ｇ，Ｂ別総光量を算出することができ、色バランス調整制御手段１１は、色バランスを調整制御するものである。なお、この調整モード時には、光変調素子４には黒データを供給することで、スクリーン１００には黒画像が表示されるようにしておくものとする。
【０３０４】
また、上記したように１つ１つのＬＥＤ１の発光量を算出することができることより、１つ１つの発光量調整制御を行なうことができ、時間的な照明光量の変化も抑制することができると共に、１ＬＥＤが故障するなどして発光しない場合などであってもそれを検出することができ、ユーザに対して光源の交換などを警告表示することができる。
【０３０５】
以上実施の形態に基づいて本発明を説明したが、本発明は上述した実施の形態に限定されるものではなく、本発明の要旨の範囲内で種々の変形や応用が可能なことは勿論である。
【０３０６】
【発明の効果】
以上詳述したように、本発明によれば、実際に表示面に照射する光の発光源である発光体そのものの光を検出して、表示面におけるホワイトバランスを含む色バランスを調整することが可能な表示装置、光源装置、及び照明装置を提供することができる。
【図面の簡単な説明】
【図１】（Ａ）は本発明の第１の実施の形態に係る表示装置の構成を示す機能構成図、（Ｂ）はＬＥＤの供給電流と発光量との関係を示す図、（Ｃ）はＬＥＤの供給電流と受光素子の受光量との関係を示す図であり、（Ｄ）は受光素子の感度特性を示す図である。
【図２】表示データ補正制御に関するタイミングチャートを示す図である。
【図３】（Ａ）は供給電流の制御による発光量調整制御に関するタイミングチャートを示す図であり、（Ｂ）は供給電流についての制限を考慮した場合の供給電流の制御による発光量調整制御に関するタイミングチャートを示す図である。
【図４】点灯時間の制御による発光量調整制御に関するタイミングチャートを示す図である。
【図５】（Ａ）は本発明の第２の実施の形態に係る表示装置の構成を示す機能構成図であり、（Ｂ）はＬＥＤと受光素子との配置関係を示す斜視図である。
【図６】第２の実施の形態における発光量調整制御に関するタイミングチャートを示す図である。
【図７】（Ａ）は第２の実施の形態に係る表示装置の別の構成を示す機能構成図、（Ｂ）は光変調素子周辺の受光素子の位置を説明するための図、（Ｃ）は第２の実施の形態に係る表示装置の更に別の構成としてＤＭＤ（商標）を使用した投影表示装置の受講素子の位置を説明するための図であり、（Ｄ）はＤＭＤ（商標）のミラー部の拡大図である。
【図８】（Ａ）は第２の実施の形態に係る表示装置の他の構成を示す機能構成図、（Ｂ）は（Ａ）のａ−ａ’線断面図であり、（Ｃ）は（Ｂ）のＢ方向矢視図である。
【図９】各色の光を１つの導光板で１つの受光素子にて計測するようにした第２の実施の形態に係る表示装置の更に他の構成を示す機能構成図である。
【図１０】各色別に異なった光路に各々用の受光素子を配設した第２の実施の形態に係る表示装置の別の構成を示す機能構成図である。
【図１１】表示面（スクリーン）に投影する光をカメラで検出するようにした第２の実施の形態に係る表示装置の更に別の構成を示す機能構成図である。
【図１２】（Ａ）は本発明の第３の実施の形態に係る表示装置としての温度センサ付表示装置の構成を示す機能構成図であり、（Ｂ）は色バランス調整制御手段の詳細構成を示すブロック図である。
【図１３】操作パネルを示す図である。
【図１４】第３の実施の形態に係る表示装置のメインルーチンのフローチャートを示す図である。
【図１５】「ホワイトバランス調整モード」のサブルーチンのフローチャートを示す図である。
【図１６】起動時を含めて常に較正する場合の「通常使用モード」のサブルーチンのフローチャートを示す図である。
【図１７】「基準表示状態に設定」のサブルーチンのフローチャートを示す図である。
【図１８】「ホワイトバランス補正」のサブルーチンのフローチャートを示す図である。
【図１９】１０分毎の較正と補正不可時の警告を行なう場合の「通常使用モード」のサブルーチンのフローチャートを示す図である。
【図２０】温度変化に応じて較正する場合の「通常使用モード」のサブルーチンのフローチャートを示す図である。
【図２１】表示総時間に応じて較正する場合の「通常使用モード」のサブルーチンのフローチャートを示す図である。
【図２２】ＲＯＭに記憶される表の内容を示す図である。
【図２３】ホワイトバランス補正の明るさ／寿命の優先モードに応じて較正する場合の「通常使用モード」のサブルーチンのフローチャートを示す図である。
【図２４】本発明の第４の実施の形態に係る表示装置の構成を示す機能構成図である。
【図２５】本発明の第５の実施の形態に係る表示装置の構成を示す機能構成図である。
【図２６】第５の実施の形態に係る表示装置のタイミングチャートを示す図である。
【図２７】本発明の第６の実施の形態に係る表示装置の構成を示す機能構成図である。
【図２８】第６の実施の形態に係る表示装置のＬＥＤ基板上のＬＥＤの配置を示す図である。
【図２９】第６の実施の形態に係る表示装置の表示時のタイミングチャートを示す図である。
【図３０】第６の実施の形態に係る表示装置の調整モード時のタイミングチャートを示す図である。
【図３１】従来のＬＥＤを用いたプロジェクタ装置の構成例を示す図である。
【図３２】従来のＬＥＤを用いたプロジェクタ装置の別の構成例を示す図である。
【図３３】従来の色補正装置のブロック構成図である。
【符号の説明】
１      ＬＥＤ
２      集光光学系
３      重ね合わせレンズ
４      光変調素子
５，５−１，５−２      テーパーロッド
６      色補正装置
１０      投影レンズ
１１      色バランス調整制御手段
１２      表示データ補正制御手段
１３      発光量調整制御手段
１４      受光素子
１４’      遮光板を兼ねた受光素子
１５      操作パネル
１５ｃ      色調整釦
１５ｅ      調整モード釦
１５ｆ      自動較正モード釦
１５ｇ，１５ｈ，１５ｉ      インジケータ
１６      照明エリア
１７      照明ユニット
１８      ミラー
１９      導光板
２０      切り欠き
２１      反射膜
２２      ダイクロイックプリズム（ＤＰ）
２３      撮像レンズ
２４      ＬＥＤ基板
２５      温度センサ
２６      バス
２７      ＣＰＵ
２８      ＲＯＭ
２９      ＲＡＭ
３０      映像入力部
３１      表示用メモリ
３２      ＬＣＤ制御回路
３３      ＬＥＤ点灯制御回路
３４      フラッシュメモリ
３５      ＴＩＭＥＲ
３６      光源装置
３７      ＣＣＤ
４０      タイミング制御回路
４１      ロッドホルダ
４２      モータ
４３      回転センサ
４５      発光タイミング制御回路
１００      スクリーン
【図１】
2004184852.tif 000003
【図２】
2004184852.tif 000004
【図３】
2004184852.tif 000005
【図４】
2004184852.tif 000006
【図５】
2004184852.tif 000007
【図６】
2004184852.tif 000008
【図７】
2004184852.tif 000009
【図８】
2004184852.tif 000010
【図９】
2004184852.tif 000011
【図１０】
2004184852.tif 000012
【図１１】
2004184852.tif 000013
【図１２】
2004184852.tif 000014
【図１３】
2004184852.tif 000015
【図１４】
2004184852.tif 000016
【図１５】
2004184852.tif 000017
【図１６】
2004184852.tif 000018
【図１７】
2004184852.tif 000019
【図１８】
2004184852.tif 000020
【図１９】
2004184852.tif 000021
【図２０】
2004184852.tif 000022
【図２１】
2004184852.tif 000023
【図２２】
2004184852.tif 000024
【図２３】
2004184852.tif 000025
【図２４】
2004184852.tif 000026
【図２５】
2004184852.tif 000027
【図２６】
2004184852.tif 000028
【図２７】
2004184852.tif 000029
【図２８】
2004184852.tif 000030
【図２９】
2004184852.tif 000031
【図３０】
2004184852.tif 000032
【図３１】
2004184852.tif 000033
【図３２】
2004184852.tif 000034
【図３３】
2004184852.tif 000035